(57)【特許請求の範囲】
【請求項１】
ウェアラブル電子デバイスに関連付けられた第１のユーザから第１のタッチ入力を受信するタッチ入力デバイスを含む複数の電子ビーズと、
前記複数の電子ビーズと通信する通信モジュールであって、
前記複数の電子ビーズから前記第１のタッチ入力を受信し、
前記第１のタッチ入力および前記電子ビーズに関連付けられた第１のデバイス識別子を示す第１の情報を含む第１のメッセージを、第２のユーザに関連付けられた電子デバイスに送信する、プロセッサを含む通信モジュールと、
を備え、
前記第１のタッチ入力は、前記第１のユーザが前記複数の電子ビーズのうちの第１の電子ビーズにタッチし、次に前記第１のユーザが前記複数の電子ビーズのうちの第２の電子ビーズに予め定められた期間タッチした複数のタッチのパターンを含み、前記第１のメッセージは、前記複数のタッチのパターンを示す第１の情報を含む、
ウェアラブル電子デバイス。
【請求項２】
ブレスレット部分をさらに含み、前記複数の電子ビーズおよび前記通信モジュールは、前記ブレスレット部分に取り付けられている、請求項１に記載のウェアラブル電子デバイス。
【請求項３】
前記第１のデバイス識別子は、前記第２のユーザにさらに関連付けられている、請求項１または２に記載のウェアラブル電子デバイス。
【請求項４】
前記第２のユーザに関連付けられた前記電子デバイスは、他のウェアラブル電子デバイスを含む、請求項１または２に記載のウェアラブル電子デバイス。
【請求項５】
前記第２のユーザに関連付けられた前記電子デバイスは、前記第１のタッチ入力を示す第１の体感用出力を提供する、請求項１または２に記載のウェアラブル電子デバイス。
【請求項６】
前記第１のデバイス識別子と前記第２のユーザとの関連付けは、前記第１のユーザによって実行される、請求項１または２に記載のウェアラブル電子デバイス。
【請求項７】
前記プロセッサは、さらに、前記第２のユーザに関連付けられた前記電子デバイスに提供された第２のタッチ入力および前記第２のユーザに関連付けられた前記電子デバイスに関連付けられた第２のデバイス識別子を示す第２の情報を含む第２のメッセージを受信する、請求項１に記載のウェアラブル電子デバイス。
【請求項８】
前記第２のデバイス識別子は、前記第１のユーザにさらに関連付けられている、請求項７に記載のウェアラブル電子デバイス。
【請求項９】
前記複数の電子ビーズに関連付けられており、前記第２のタッチ入力を示す第２の体感用出力を提供する、少なくとも１つの体感用出力デバイスをさらに含む、請求項７に記載のウェアラブル電子デバイス。
【請求項１０】
前記少なくとも１つの体感用出力デバイスは、照明デバイスおよび振動デバイスのうち少なくとも１つを含む、請求項９に記載のウェアラブル電子デバイス。
【請求項１１】
前記第２のタッチ入力は、前記第２のユーザに関連付けられた前記電子デバイスに提供された複数のタッチ入力のパターンを含み、前記第２の情報は、前記複数のタッチ入力のパターンを示す、請求項７に記載のウェアラブル電子デバイス。
【請求項１２】
前記通信モジュールは、さらに、複数の電子ビーズのそれぞれの体感用出力デバイスに、前記複数のタッチ入力のパターンを示す体感用出力を提供させる、請求項１１に記載のウェアラブル電子デバイス。
【請求項１３】
少なくとも１つのプロセッサによって実行される場合、前記少なくとも１つのプロセッサに、
ウェアラブル電子デバイスの複数の電子ビーズによって、前記ウェアラブル電子デバイスに関連付けられた第１のユーザから第１のタッチ入力を受信させ、
前記複数の電子ビーズと通信する通信モジュールによって、前記複数の電子ビーズから前記第１のタッチ入力を受信させ、
前記第１のタッチ入力および前記電子ビーズに関連付けられた第１のデバイス識別子を示す第１の情報を含む第１のメッセージを、第２のユーザに関連付けられた電子デバイスに送信させる、複数の命令を備え、
前記第１のタッチ入力は、前記第１のユーザが前記複数の電子ビーズのうちの第１の電子ビーズにタッチし、次に前記第１のユーザが前記複数の電子ビーズのうちの第２の電子ビーズに予め定められた期間タッチした複数のタッチのパターンを含み、前記第１のメッセージは、前記複数のタッチのパターンを示す第１の情報を含む、
プログラム。
【請求項１４】
前記複数の命令は、前記少なくとも１つのプロセッサによって実行される場合、前記少なくとも１つのプロセッサにさらに、前記第２のユーザに関連付けられた前記電子デバイスに提供された第２のタッチ入力および前記第２のユーザに関連付けられた前記電子デバイスに関連付けられた第２のデバイス識別子を示す第２の情報を含む第２のメッセージを受信させる、請求項１３に記載のプログラム。
【請求項１５】
前記複数の命令は、前記少なくとも１つのプロセッサによって実行される場合、前記少なくとも１つのプロセッサに、前記複数の電子ビーズに関連付けられた少なくとも１つの体感用出力デバイスによって、前記第２のタッチ入力を示す第２の体感用出力をさらに提供させる、請求項１４に記載のプログラム。
【請求項１６】
ウェアラブル電子デバイスの複数の電子ビーズによって、前記ウェアラブル電子デバイスに関連付けられた第１のユーザから第１のタッチ入力を受信する段階と、
前記複数の電子ビーズと通信する通信モジュールによって、前記複数の電子ビーズから前記第１のタッチ入力を受信する段階と、
前記第１のタッチ入力および前記電子ビーズに関連付けられた第１のデバイス識別子を示す第１の情報を含む第１のメッセージを、第２のユーザに関連付けられた電子デバイスに送信する段階と、を備え、
前記第１のタッチ入力は、前記第１のユーザが前記複数の電子ビーズのうちの第１の電子ビーズにタッチし、次に前記第１のユーザが前記複数の電子ビーズのうちの第２の電子ビーズに予め定められた期間タッチした複数のタッチのパターンを含み、前記第１のメッセージは、前記複数のタッチのパターンを示す第１の情報を含む、
方法。
【請求項１７】
前記第２のユーザに関連付けられた前記電子デバイスに提供された第２のタッチ入力、および前記第２のユーザに関連付けられた前記電子デバイスに関連付けられた第２のデバイス識別子を示す第２の情報を含む第２のメッセージを受信する段階をさらに備える、請求項１６に記載の方法。
【請求項１８】
前記第２のタッチ入力を示す第２の体感用出力を、前記複数の電子ビーズに関連付けられた少なくとも１つの体感用出力デバイスによって提供する段階をさらに備える、請求項１７に記載の方法。
【請求項１９】
請求項１３から１５のいずれか一項に記載のプログラムを格納する、コンピュータ可読記録媒体。
【発明の詳細な説明】
【技術分野】
【０００１】
本明細書において記載される複数の実施形態は、概して無線通信用の抽象化されたパターンメッセージングウェアラブル電子デバイスに関する。
【背景技術】
【０００２】
エンドユーザは、これまでよりも多くの電子デバイスの選択肢を有する。多数の有力な技術的トレンド（例えば、携帯電子デバイス、より小さい電子デバイス、増加したユーザ接続等）が、現在進展中であり、これらのトレンドは、電子デバイスを取り巻く状況を変えている。技術的トレンドのうち現在進行中のものの１つは、ユーザによって着用され得、ウェアラブル電子デバイスと時々称される電子デバイスである。ウェアラブル電子デバイスは、ユーザの手首、腕、足首上等に着用され得る。携帯電話等の電子デバイスは、メッセージをタイプし、送信するための複数の機能を提供する。しかし、これにより、ユーザはしばしば、携帯電話上の小さなインタラクティブキーボードを用いてメッセージをわざわざタイプする必要がある。ウェアラブル電子デバイスは、急速に技術的エコシステムのメンバになってきているものの、デバイスとユーザとの間のインタラクションは、まだ能率化される余地があり、概して、複数のメッセージを通信する携帯電話と同じ複数の制限に悩まされる。
【図面の簡単な説明】
【０００３】
複数の実施形態は、複数の添付の図面の複数の図において、例として示され、限定としては示されない。同様の参照符号は、同様の要素を示す。
【０００４】
【図１】本開示の一実施形態による無線通信のための抽象化されたパターンメッセージングウェアラブル電子デバイスを示す簡略化された正投影図である。
【０００５】
【図２】図１のウェアラブル電子デバイスの特定の電子ビーズを示す図である。
【０００６】
【図３Ａ】ウェアラブル電子デバイスを用いる抽象化されたパターンメッセージングを行うための例示的手順の実施形態を示す。
【図３Ｂ】ウェアラブル電子デバイスを用いる抽象化されたパターンメッセージングを行うための例示的手順の実施形態を示す。
【０００７】
【図４】ウェアラブル電子デバイスに関連付けられた複数のアクティビティを実行するための用いられてよい例示的ロジックを示す簡略化されたブロック図である。
【０００８】
【図５】複数のウェアラブル電子デバイス間における無線通信のための通信システムの実施形態を示す簡略化されたブロック図である。
【０００９】
【図６】本開示の他の実施形態による無線通信抽象化されたメッセージングウェアラブル電子デバイスを示す簡略化された正投影図である。
【００１０】
【図７Ａ】図６のウェアラブル電子デバイスを用いる抽象化されたメッセージングを行うための例示的手順の実施形態を示す。
【図７Ｂ】図６のウェアラブル電子デバイスを用いる抽象化されたメッセージングを行うための例示的手順の実施形態を示す。
【図７Ｃ】図６のウェアラブル電子デバイスを用いる抽象化されたメッセージングを行うための例示的手順の実施形態を示す。
【００１１】
【図８】ウェアラブル電子デバイスに関連付けられた複数のアクティビティを実行するために用いられてよい、例示的ロジックを示す簡略化されたブロック図である。
【００１２】
【図９】複数のウェアラブル電子デバイス間における無線通信のための通信システムの他の実施形態を示す簡略化されたブロック図である。
【００１３】
【図１０】本開示の実施形態によるウェアラブル電子デバイスのための複数の潜在的な動作を示す簡略化されたフロー図である。
【００１４】
【図１１】本開示の別の実施形態によるウェアラブル電子デバイスに対する複数の潜在的な動作を示す簡略化されたフロー図である。
【００１５】
図面の図は、それらの寸法が本開示の範囲から逸脱することなく大幅に変更され得ることから、必ずしも縮尺通りに描かれていない。
【発明を実施するための形態】
【００１６】
概要  本明細書において記載される複数の例示的な実施形態は、（任意のタイプのコンポーネント、素子、電気回路等を含み得る）複数の電子コンポーネントに結合される回路基板を含む電子ブレスレット等のウェアラブル電子デバイスを提供する。ウェアラブル電子デバイスの１つの特定の実装は、ウェアラブル電子デバイスに関連付けられた第１のユーザからの第１のタッチ入力を受信するように構成されたタッチ入力デバイスを含む少なくとも１つの電子ビーズ、および少なくとも１つの電子ビーズと通信する通信モジュールを含む。通信モジュールは、少なくとも１つの電子ビーズからの第１のタッチ入力を受信し、第１のタッチ入力および少なくとも１つの電子ビーズに関連付けられた第１のデバイス識別子を示す第１の情報を含む第１のメッセージを第２のユーザに関連付けられた電子デバイスへ送信するように構成されたプロセッサを含む。
【００１７】
少なくとも１つの実施形態において、ウェアラブル電子デバイスは、ブレスレット部分をさらに含み、少なくとも１つの電子ビーズおよび通信モジュールが、ブレスレット部分に取り付けられるように構成されている。さらに他の実施形態において、第１のデバイス識別子は、第２のユーザにさらに関連付けられている。別の実施形態において、第２のユーザに関連付けられる電子デバイスは、他のウェアラブル電子デバイスを含む。別の実施形態において、第２のユーザに関連付けられた電子デバイスは、第１のタッチ入力を示す第１の体感用出力を提供するように構成されている。さらに他の実施形態において、第１のデバイス識別子の第２のユーザとの関連付けは、第１のユーザによって実行される。
【００１８】
別の実施形態において、第１のタッチ入力は、ウェアラブル電子デバイスの複数の電子ビーズに提供された複数のタッチ入力のパターンを含み、第１のメッセージは複数のタッチ入力のパターンを示す第１の情報を含む。別の実施形態において、プロセッサは、第２のユーザに関連付けられた電子デバイスに提供される第２のタッチ入力、および第２のユーザに関連付けられた電子デバイスに関連付けられた第２のデバイス識別子を示す第２の情報を含む第２のメッセージを受信するようにさらに構成されている。別の実施形態において、第２のデバイス識別子は、第１のユーザにさらに関連付けられる。
【００１９】
別の実施形態において、ウェアラブル電子デバイスは、少なくとも１つの電子ビーズに関連付けられた少なくとも１つの体感用出力デバイスをさらに含み、少なくとも１つの体感用出力デバイスは、第２のタッチ入力を示す第２の体感用出力を提供するように構成されている。さらに他の実施形態において、少なくとも１つの体感用出力デバイスは、照明デバイスおよび振動デバイスのうち少なくとも１つを含む。別の実施形態において、第２のタッチ入力は、第２のユーザに関連付けられた電子デバイスに提供された複数のタッチ入力のパターンを含み、第２の情報は、複数のタッチ入力のパターンを示す。別の実施形態において、通信モジュールは、複数の電子ビーズのそれぞれの体感用出力デバイスに、複数のタッチ入力のパターンを示す体感用出力を提供させるようにさらに構成されている。
【００２０】
別の特定の実装は、ウェアラブル電子デバイスに関連付けられた第１のユーザからの第１のタッチ入力を受信するように構成されたタッチ入力デバイスを含む少なくとも１つの電子ビーズ、および少なくとも一部がハードウェアに部分的に実装された、ロジックを含む少なくとも１つの電子ビーズと通信する通信モジュールを備えるウェアラブル電子デバイスを含む。ロジックは、少なくとも１つの電子ビーズから第１のタッチ入力を受信し、第１のタッチ入力および少なくとも１つの電子ビーズに関連付けられた第１のデバイス識別子を示す第１の情報を含む第１のメッセージを、第２のユーザに関連付けられた電子デバイスへ送信するように構成されている。
【００２１】
別の特定の実装は、複数の命令を備える少なくとも１つのコンピュータ可読記憶媒体を含み、複数の命令は、少なくとも１つのプロセッサによって実行される場合、少なくとも１つのプロセッサに、ウェアラブル電子デバイスに関連付けられた第１のユーザからの第１のタッチ入力をウェアラブル電子デバイスの少なくとも１つの電子ビーズによって受信し、少なくとも１つの電子ビーズからの第１のタッチ入力を少なくとも１つの電子ビーズと通信する通信モジュールによって受信し、第１のタッチ入力および少なくとも１つの電子ビーズに関連付けられた第１のデバイス識別子を示す第１の情報を含む第１のメッセージを、第２のユーザに関連付けられた電子デバイスへ送信させる。
【００２２】
別の特定の実装は、少なくとも１つの光学ライトストランド（ｏｐｔｉｃａｌ  ｌｉｇｈｔ  ｓｔｒａｎｄ）、およびその少なくとも１つの光学ライトストランドと通信する通信モジュールを含むウェアラブル電子デバイスを含む。通信モジュールは、ウェアラブル電子デバイスに関連付けられた第１のユーザから第１の決定されたメッセージ持続期間を示すタイマー入力を受信し、第１の決定されたメッセージ持続期間を示す第１の情報を含む第１のメッセージを、第２のユーザに関連付けられた電子デバイスへ送信するように構成されたプロセッサを含む。
【００２３】
一実施形態において、少なくとも１つの光学ストランドは、ウェアラブル電子デバイスのブレスレット部分を備える。別の実施形態において、ウェアラブル電子デバイスは、第１のユーザからタイマー入力を受信するように構成されたタイマー入力デバイスをさらに含む。さらに他の実施形態において、第２のユーザに関連付けられた電子デバイスは、第１の決定されたメッセージ持続期間に対応する期間中に、照明出力を提供するように構成されている。
【００２４】
別の実施形態において、プロセッサは、第２のユーザに関連付けられた電子デバイスから第２の決定されたメッセージ持続期間を示す第２の情報を含む第２のメッセージを受信するようにさらに構成されている。さらに他の実施形態において、通信モジュールは、光学ライトストランドの少なくとも１つに、第２の決定されたメッセージ持続期間に対応する期間にわたって、照明を点灯させるようにさらに構成されている。
【００２５】
別の特定の実装は、第１のウェアラブル電子デバイスおよび第２のウェアラブル電子デバイスを含むシステムを含む。第１のウェアラブル電子デバイスは、第１のタッチ入力を受信するように構成された第１のタッチ入力デバイスを含む少なくとも１つの第１の電子ビーズと、少なくとも１つの第１の電子ビーズと通信する第１の通信モジュールとを含む。第１の通信モジュールは、少なくとも１つの第１の電子ビーズから第１のタッチ入力を受信し、第１のタッチ入力および少なくとも１つの電子ビーズに関連付けられた第１のデバイス識別子を示す第１の情報を含む第１のメッセージを送信するように構成された第１のロジックを含む。第２のウェアラブル電子デバイスは、少なくとも１つの第２の電子ビーズ、および少なくとも１つの第２の電子ビーズと通信する第２の通信モジュールを含む。第２の通信モジュールは、第１のウェアラブル電子デバイスから第１のメッセージを受信するように構成された第２のロジックを含む。例示的な実施形態 
【００２６】
以下の詳細な説明は、交換可能なチャームメッセージングウェアラブル電子デバイス用の複数の構成に関する複数の装置、複数の方法、および複数のシステムの複数の例示的な実施形態を説明する。例えば、１または複数の構造、１または複数の機能、および／または１または複数の特性等の複数の特徴は、便宜上、一実施形態を参照して記載され、様々な実施形態は、記載される複数の特徴のうち任意の適切な１または複数で実装されてよい。
【００２７】
図１は、本開示の一実施形態に係る無線通信用の要約パターンメッセージングウェアラブル電子デバイス１０ａを示す簡略化された正投影図である。ウェアラブル電子デバイス１０ａは、第１の留め金端１４ａおよび第２の留め金端１４ｂを有するブレスレット部分１２を含み得る。少なくとも１つの実施形態において、第１の留め金端１４ａおよび第２の留め金端１４ｂは、ウェアラブル電子デバイス１０ａがユーザの手首の周りに着用されることを可能にするべく、一緒に結合されるように構成される。図１に示される実施形態において、ウェアラブル電子デバイス１０ａは、ブレスレット部分１２に取り付けられた第１の電子ビーズ１６ａ、第２の電子ビーズ１６ｂ、第３の電子ビーズ１６ｃ、第４の電子ビーズ１６ｄ、および第５の電子ビーズ１６ｅをさらに含む。ウェアラブル電子デバイス１０ａは、ブレスレット部分１２に取り付けられ、各電子ビーズ１６ａ−１６ｅと通信する通信モジュール１８をさらに含む。様々な実施形態において、通信モジュール１８は、他のユーザに関連付けられたウェアラブル電子デバイス等、複数の他の無線電子デバイスと通信するようにさらに構成されてよい。電子ビーズ１６ａ−１６ｆのそれぞれは、電子ビーズ１６ａ−１６ｆ内に少なくとも部分的に配置された対応するタッチ入力デバイス２２ａ−２２ｆを含んでよい。特定の実施形態において、タッチ入力デバイス２２ａ−２２ｆのそれぞれは、対応する電子ビーズ１６ａ−１６ｆの外面の少なくとも一部の周りの拡張部分内に少なくとも部分的に配置される。図１に示される特定の実施形態において、ブレスレット部分１２は、ユーザの手首にウェアラブル電子デバイス１０ａを付けることを容易にする留め金を有する閉リングとして、構築される。少なくとも１つの実施形態において、第１の留め金端１４ａの第２の留め金端１４ｂとの接続により、ウェアラブル電子デバイス１０ａの電源投入を開始してよい。さらに他の複数の実施形態において、ブレスレット部分１２は、ユーザの手首にウェアラブル電子デバイス１０ａを付けることを容易にするべく、複数の端部の間において開部分を持つ、概してリング形状の形態として構築されてよい。様々な実施形態において、ブレスレット部分１２は、金属、プラスチック、木材、ワイヤ、ストリングまたはそれらの任意の組み合わせ等、任意の適切な材料で構築されてよい。
【００２８】
図２は、図１のウェアラブル電子デバイス１０ａの特定の電子ビーズ１６ａを示す図である。第１の電子ビーズ１６ａは、ビーズハウジング２０ａ内に少なくとも部分的に配置された第１のタッチ入力デバイス２２ａを含む。第１のタッチ入力デバイス２２ａは、ウェアラブル電子デバイス１０ａの１または複数の機能を開始するべく、ユーザからタッチ入力を受信するように構成されている。複数の特定の実施形態において、第１のタッチ入力デバイス２２ａは、ボタン、容量性のタッチ面、抵抗性タッチ面、または任意の他の適切なタッチ入力デバイスの１または複数を含んでよい。特定の実施形態において、第１のタッチ入力デバイス２２ａは、ビーズハウジング２０ａの外面の全てまたは一部を含んでよい。図１において示されるタッチ入力デバイスの数は、例示的な目的のみで提供される。より少ないまたはより多い任意の数のタッチ入力デバイスが、本開示の範囲内におけるウェアラブル電子デバイスに対して構成され得ることは、理解されるべきである。
【００２９】
第１の電子ビーズ１６ａは、ビーズハウジング２０ａ上および／またはビーズハウジング２０ａ内に配置され、ユーザに対してビジュアルフィードバックとして照明を提供するように構成された１または複数の第１の照明デバイス２４ａをさらに含む。複数の特定の実施形態において、第１の照明デバイス２４ａは、１または複数の発光ダイオード（ＬＥＤ）、液晶ディスプレイ（ＬＣＤ）、有機発光ダイオードディスプレイ（ＯＬＥＤ）、ランプまたは任意の他の適切な照明デバイスを含んでよい。特定の実施形態において、ハウジング２０ａは、実質的に透明および／または半透明な材料で構築されてよく、照明デバイス２４ａは、照明デバイス２４ａによって提供される照明が、ビーズハウジング２０ａを介して可視であるようにビーズハウジング２０ａ内において配置されてよい。
【００３０】
第１の電子ビーズ１６ａはさらに、ビーズハウジング２０ａ内に配置された振動デバイス２６ａを含んでよく、それはユーザに対して振動を提供するように構成されてよい。第１の電子ビーズ２０ａは、本明細書においてさらに記載されるように様々な態様の第１の電子ビーズ１６ａを制御するように構成されたビーズ制御モジュール２８ａをまださらに含んでよい。ウェアラブル電子デバイス１０ａは、ビーズ制御モジュール２８ａの通信モジュール１８との通信を可能にするべく、ブレスレット部分１２内またはブレスレット部分１２上に配置された通信バス３０をさらに含んでよい。
【００３１】
同様に、第２の電子ビーズ１６ｂ、第３の電子ビーズ１６ｃ、第４の電子ビーズ１６ｄ、第５の電子ビーズ１６ｅ、および第６の電子ビーズ１６ｆが、第１の電子ビーズ１６ａに関連して記載されたものと同様のやり方で構築されてよく、通信モジュール１８との通信を容易にするべく通信バス３０に結合されてよい。１または複数の実施形態において、電子ビーズ１６ａ−１６ｆの複数のハウジング部分は、「スマイリーフェイス」、頭蓋骨、複数のハート、様々な幾何学的形状、または任意の他の適切なもしくは所望の形状等、１または複数の装飾的な形状で構築されてよい。
【００３２】
様々な実施形態において、電子ビーズ１６ａ−１６ｆのそれぞれは、複数の電子ビーズの中から特定の電子ビーズ１６ａ−１６ｆを識別する関連デバイス識別子を有する。少なくとも１つの実施形態において、デバイス識別子は一意の識別子である。様々な実施形態に従って、特定の電子ビーズ１６ａ−１６ｆに関連付けられた識別子は、ウェアラブル電子デバイス１０ａのユーザもまた所属する１または複数のグループ（または「トライブ（ｔｒｉｂｅ）」のメンバにさらに関連付けられてよい。例えば、各電子ビーズ１６ａ−１６ｆは、ウェアラブル電子デバイス１０ａのユーザの家族メンバ、友人、ソーシャルグループのメンバ、および／または同僚に関連付けられてよい。さらに他の複数の実施形態において、ウェアラブル電子デバイス１０ａの１または複数の電子ビーズ１６ａ−１６ｆは、たった一人のメンバに関連付けられてよい。
【００３３】
様々な実施形態に従って、第１のユーザは、各電子ビーズ１６ａ−１６ｆは、グループの異なるメンバまたは数を表し得るグループの複数の特定のメンバと通信するべくウェアラブル電子デバイス１０ａを利用してよい。さらに他の複数の実施形態では、１より多くの電子ビーズ１６ａ−１６ｆが用いられる。第１のユーザは、パルス、パターン、または他のインタラクションのジェスチャ等の入力を、第１のユーザが所属するグループのメンバである第２のユーザによって着用された第２のウェアラブル電子デバイスのある特定の１または複数の電子ビーズに送信するべく、対応するタッチ入力デバイス２２ａ−２２ｆを介して電子ビーズ１６ａ‐１６ｆの１または複数とインタラクションしてよい。第２のウェアラブル電子デバイスの１または複数の電子ビーズは、ビジュアルインジケーションおよび／または振動インジケーション等の体感用インジケーションを、第１のユーザの入力に対応する第２のユーザに提供してよい。
【００３４】
図３Ａ−３Ｂは、ウェアラブル電子デバイス１０ａを用いる抽象化されたパターンメッセージングに対する例示的手順の実施形態を示す。図３Ａは、第１のユーザによる単一のタッチに対応するメッセージの送信を示し、第１のユーザは、第２のユーザに関連付けられた第２のウェアラブル電子デバイスの対応する電子ビーズへメッセージを通信モジュール１８によって送信することを開始するべく、予め定められた期間にわたって、第２の電子ビーズ１６ｂをタッチし、接触し続ける。少なくとも１つの実施形態において、第２の電子ビーズ１６ｂは、第１のユーザからのタッチ入力に応答し、照明を点灯してよい。通信モジュール１８によって送信されるメッセージを受信すると、第２のウェアラブル電子デバイスは、第２のウェアラブルデバイスの対応する電子ビーズの照明を点灯させ、および／または振動させるように構成されてよい。
【００３５】
図３Ｂは、１または複数の電子ビーズ１６ａ−１６ｆの第１のユーザによる何回かのタッチに対応するパターンの送信を示し、第１のユーザは、第２の電子ビーズ１６ｂにタッチし、そうして次に、第２の電子ビーズ１６ｂおよび第３の電子ビーズ１６ｃのパターンに対応する１または複数のメッセージを、第２のユーザに関連付けられた第２のウェアラブル電子デバイスの１または複数の対応する電子ビーズに通信モジュール１８によって送信することを開始するべく、予め定められた期間にわたって、ウェアラブル電子デバイス１０ａの第３の電子ビーズ１６ｃにタッチする。パターンに対応する１または複数のメッセージを受信すると、第２のウェアラブル電子デバイスは、第１のユーザのパターンを複製するべく第２の電子ビーズ１６ｂおよび第３の電子ビーズ１６ｃに対応する電子デバイスの２またはそれより多くの電子ビーズに照明を点灯させ、および／またはそれらを振動させるように構成されてよい。
【００３６】
第２のユーザは、次に、第１のユーザに対応する第２のウェアラブル電子デバイスの１または複数の電子ビーズにタッチ入力を提供することによって、単一のタッチまたは何回かのタッチのパターンを、第１のユーザに送信して戻すことによって、第１のユーザに応答する。さらに他の例示的動作において、第１のユーザは、タッチ入力を各特定のユーザに対応する電子ビーズ１６ａ−１６ｆに提供することによって、複数のユーザにインタラクションを送信してよい。
【００３７】
１または複数の実施形態において、第１のユーザに関連付けられる第１のウェアラブル電子デバイスの通信モジュール１８は、第１のスマートフォン等、第１のユーザに関連付けられた第１の無線デバイスと通信してよい。第１の無線デバイスは、次に、１または複数の無線ネットワークによって第２のユーザに関連付けられた第２の無線デバイスと通信してよい。第２の無線デバイスは、さらに、第２のウェアラブル電子デバイスの通信モジュールと通信してよい。このように、異なる複数のウェアラブル電子デバイスの複数の電子ビーズ間において、複数のタッチ入力がリレーされてよい。さらに他の複数の実施形態において、第１のウェアラブル電子デバイスの通信モジュールは、第１の無線デバイスまたは第２の無線デバイスを用いることを必要とせずに、第２のウェアラブル電子デバイスの通信モジュールと直接通信してよい。
【００３８】
図４は、本明細書において検討されるように、ウェアラブル電子デバイス１０ａに関連付けられた複数のアクティビティを実行するために用いられてよい例示的ロジックを示す簡略化されたブロック図である。少なくとも１つの例示的な実施形態において、通信モジュール１８は、それぞれがシステム制御ロジック４１８に結合されている１または複数のプロセッサ４０２、システムメモリ４０４、不揮発性メモリ、および／またはストレージ４０６、電力管理コントローラ４０８、無線通信モジュール４１０、メッセージングモジュール４１２、ビーズコントローラ４１４、１または複数の通信インタフェース４１６を含んでよい。
【００３９】
システム制御ロジック４１８は、少なくとも１つの実施形態において、少なくとも１つのプロセッサ４０２および／またはシステム制御ロジック４１８と通信する任意の適切なデバイスまたはコンポーネントに任意の適切なインタフェースを提供するべく、複数の任意の適切なインタフェースコントローラを含み得る。システム制御ロジック４１８は、少なくとも１つの実施形態において、システムメモリ４０４にインタフェースを提供するべく、１または複数のメモリコントローラを含み得る。システムメモリ４０４は、例えば通信モジュール１８に対してデータおよび／または複数の命令をロードしストアするのに用いられてよい。システムメモリ４０４は、少なくとも１つの実施形態において、例えば適切な動的ランダムアクセスメモリ（ＤＲＡＭ）等、任意の適切な揮発性メモリを含み得る。システムメモリ４０４は、通信モジュール１８の様々な動作を容易にするべく、適切なソフトウェア４２２をストアしてよい。
【００４０】
不揮発性メモリおよび／または１または複数のストレージデバイス４０６は、例えばソフトウェア４２０内において、データおよび／または複数の命令をストアするのに用いられてよい。不揮発性メモリおよび／または１または複数のストレージデバイス４０６は、例えばフラッシュメモリ等の任意の適切な不揮発性メモリを含んでよく、かつ／または、例えば１または複数のハードディスクドライブ（ＨＤＤ）、ソリッドステートドライブ（ＳＳＤ）等の任意の適切な不揮発性ストレージデバイスを含んでよい。
【００４１】
電力管理コントローラ４０８は、様々な電力管理および／または省電力機能を制御するように構成されている電力管理ロジック４２４を含んでよい。少なくとも１つの例示的な実施形態において、電力管理コントローラ４０８は、ウェアラブル電子デバイス１０ａの複数のコンポーネントまたは複数のデバイスの電力消費を低減するように構成されてよく、ウェアラブル電子デバイス１０ａが非アクティブ状態（例えば、アクセスされていない等）にあるとき、低減された電力で操作されるまたはオフにされるかのいずれかであってよい。例えば、少なくとも１つの実施形態において、ウェアラブル電子デバイス１０ａが非アクティブ状態にあるとき、電力管理コントローラ４０８は、以下の１または複数を実行してよい：より少ない演算パワーがインアクティビティの期間中に必要とされる場合、１または複数のプロセッサ４０２がより低い電力状態に移るのを可能にする。ウェアラブル電子デバイス１０ａが非アクティブ状態にあるとき使用されていないかもしれない複数の任意のデバイスおよび／またはコンポーネントをシャットダウンしてよい。システム制御ロジック４１８は、少なくとも１つの実施形態において、インタフェースを任意の適切な入出力デバイスに提供するべく、１または複数のＩ／Ｏコントローラを含み得る。
【００４２】
少なくとも１つの実施形態に対して、少なくとも１つのプロセッサ４０２は、システム制御ロジック４１８の１または複数のコントローラに対するロジックと一緒にパッケージされてよい。少なくとも１つの実施形態において、少なくとも１つのプロセッサ４０２は、システムインパッケージ（ＳｉＰ）を形成するべく、システム制御ロジック４１８の１または複数のコントローラに対するロジックと一緒にパッケージされてよい。少なくとも１つの実施形態において、少なくとも１つのプロセッサ４０２は、システム制御ロジック４１８の１または複数のコントローラに対するロジックと同じダイ上で集積されてよい。少なくとも１つの実施形態に対して、少なくとも１つのプロセッサ４０２は、システムオンチップ（ＳｏＣ）を形成するべく、システム制御ロジック４１８の１または複数のコントローラに対するロジックと同じダイ上で集積されてよい。
【００４３】
無線通信モジュール４１０（例えば、Ｗｉ−Ｆｉモジュール、Ｂｌｕｅｔｏｏｔｈ（登録商標）モジュール、近距離無線通信（ＮＦＣ）モジュール、または他の無線通信電気回路）は、ウェアラブル電子デバイス１０ａの通信モジュール１８が、１または複数の他の電子デバイス（ウェアラブルまたはウェアラブルでない）とネットワーク上で無線接続を介して通信するのを可能にするように構成されている。無線接続は、任意の３Ｇ／４Ｇ／ＬＴＥセルラー無線接続、ＷｉＦｉ／ＷｉＭＡＸ接続、Ｂｌｕｅｔｏｏｔｈ（登録商標）接続、または何らかの他の同様の無線接続であってよい。１または複数の実施形態において、無線通信電気回路は、他の双方向無線可能デバイスとの双方向無線通信を提供するように構成され得る。実施形態において、複数のアンテナが、複数の無線接続アクティビティに関連付けられてよい通信モジュール１８と併せて供給され得る。複数のアンテナは、電流を電波または電波信号へと変換し得る複数の電気コンポーネントを反映する。無線通信モジュール４１０は、（１または複数のＷｉ−Ｆｉネットワークを見つける）無線標識、受信された信号強度インジケータ（ＲＳＳＩ）、リンク品質インジケータ（ＬＱＩ）、１または複数の３Ｇ／４Ｇ／ＬＴＥセルラー無線接続のための測定レポート、またはそれらの組み合わせ等を含むがそれらに限定されない様々な信号測定技術を用いて、通信のベストモードを決定するロジックを含んでよい。
【００４４】
メッセージングモジュール４１２は、本明細書において記載される様々な抽象化されたメッセージング機能を実行するように構成されたロジック４２６を含んでよい。ビーズコントローラ４１４は、電子ビーズ１６ａ−１６ｆのうち１または複数から複数のタッチ入力を受信すること、１または複数の電子ビーズ１６ａ−１６ｆの照明を制御すること、および／または１または複数の電子ビーズ１６ａ−１６ｆの振動を制御すること等、ウェアラブル電子デバイス１０ａの電子ビーズ１６ａ−１６ｆの様々な動作を制御するように構成されたロジック４２８を含んでよい。1または複数の通信インタフェース４１６は、通信モジュール１８の１または複数のコンポーネントを電子ビーズ１６ａ−１６ｆの１または複数のコンポーネントと接続する通信バス３０に結合されるように構成されている。
【００４５】
第１の電子ビーズ１６ａは、少なくとも１つの実施形態において、１または複数のプロセッサ４３０、システムメモリ４３２、不揮発性メモリおよび／またはストレージ４３４、タッチ入力デバイス２２ａ、タッチコントローラ４３６、１または複数の通信インタフェース４３８、１または複数の照明デバイス２４ａ、振動デバイス２６ａを含み、そのそれぞれは、システム制御ロジック４４０に結合されている。ユーザからの1または複数のタッチ入力を検出するべく、タッチ入力デバイス２２ａは、さらに、タッチセンサ４４２を含んでよく、タッチコントローラ４３６は、タッチセンサ４４２に結合されたタッチセンサインタフェース電気回路４４４を含んでよい。タッチセンサインタフェース電気回路４４４は、例えばタッチ入力デバイス２０ａに対して用いられるタッチセンサ式技術に少なくとも部分的に依存し得る任意の適切な電気回路を含んでよい。さらに、タッチ制御について、タッチコントローラ４３６は、ユーザからのタッチ入力を検出するべく任意の適切なやり方でタッチセンサインタフェース電気回路４４４を制御することを支援するタッチセンサインタフェース電気回路４４４に結合されたタッチ制御ロジック４４６を含んでよい。タッチ制御について、少なくとも１つの例示的な実施形態に対するタッチ制御ロジック４４６は、また、タッチセンサインタフェース電気回路４４４によって検出される１または複数のタッチ入力に対応するデジタルタッチ入力データを任意の適切なやり方で出力するべく、システム制御ロジック４４０に結合されてもよい。タッチ制御ロジック４４６は、例えば、タッチセンサインタフェース電気回路４４４に用いられる電気回路に少なくとも部分的に依存し得る任意の適切なハードウェア、ファームウェア、および／またはソフトウェアロジック（例えば、非一時的な有形媒体）を含む、任意の適切なロジックを用いて実装されてよい。
【００４６】
１または複数の照明デバイス２４ａは、タッチ入力または第１の電子ビーズ１６ａに関連付けられた第２のユーザによって開始される信号を受信する通信モジュール１８の１または複数を、第２のウェアラブル電子デバイスから受信する第１の電子ビーズ１６ａに応答して、ウェアラブル電子デバイス１０ａの第１のユーザにビジュアルインジケーションを提供するように構成されてよい。同様に、振動デバイス２６ａは、タッチ入力または第１の電子ビーズ１６ａに関連付けられた第２のユーザによって開始される信号を受信する通信モジュール１８の１または複数を、第２のウェアラブル電子デバイスから受信する第１の電子ビーズ１６ａに応答して、振動を第１の電子ビーズ１６ａに提供するように構成されてよい。
【００４７】
様々な実施形態において、不揮発性メモリおよび／またはストレージ４３４は、複数の電子ビーズの中から第１の電子ビーズ１６ａを一意に識別するべく、第１の電子ビーズ１６ａに関連付けられたデバイス識別子４４８を含む。システムメモリ４３２は、例えば、第１の電子ビーズ１６ａに対するデータおよび／または複数の命令をロードしストアするのに用いられてよい。システムメモリ４３２は、少なくとも１つの実施形態において、例えば適切な動的ランダムアクセスメモリ（ＤＲＡＭ）等の任意の適切な揮発性メモリを含み得る。システムメモリ４３２は、通信モジュール１８の様々な動作を容易にするべく適切なソフトウェア４２２をストアしてよい。
【００４８】
従って、任意のウェアラブル電子デバイスシステムの複数の基本構成要素（例えば、プロセッサ、コントローラ、メモリ、Ｉ／Ｏ、ディスプレイ等）は、本開示の教示と共に用いられ得る。ある特定の複数のコンポーネントは、別個であるか、またはシステムオンチップ（ＳｏＣ）に集積され得る。いくつかの一般的なシステム実装は、チャームデバイス（ｃｈａｒｍ  ｄｅｖｉｃｅ）１６ａがより一般化された筐体の一部である特定の複数のタイプのフォームファクタを含み得る。複数の代替えの実装において、ウェアラブル電子デバイスの代わりに、ある特定の代替えの実施形態は、携帯電話、タブレットデバイス等を対処する。
【００４９】
１または複数の実施形態において、通信モジュール１８および電子ビーズ１６ａ−１６ｆは、交換式のバッテリを用いて動作するように構成されてよく、あるいは、場合によっては、再充電可能なバッテリを用いて動作するように構成されてよく、バッテリのそれぞれは、通信モジュール１８に収容されてよい。いくつかの実施形態において、通信モジュール１８は、それの外面上に構成された複数の充電用コンタクトを含んでよく、複数の充電用コンタクトは、通信モジュール１８内における再充電可能なバッテリの充電を容易にするべく、充電デバイスとの組み合わせで用いられ得る。実質的に任意の手段が、通信モジュール１８および電子ビーズ１６ａ−１６ｆに対する電力および／または充電を提供するのに用いられてよい。従って任意の手段は、明らかに本開示の範囲内にある。
【００５０】
ウェアラブル電子デバイス１０ａ（および、以下で検討される１０ｂ）の複数の特定の例示的特徴を示す目的で、以下の基礎的情報は、本開示が適切に説明され得るベースと見なされてよい。ウェアラブル電子デバイスおよび携帯電話等の電子デバイスは、多くの場合複数のメッセージを通信する手段を提供するが、これらの手段は、しばしば、ユーザがデバイス上に表示されるデジタルキーボードを用いてデバイスへとメッセージを物理的にタイプすることを伴う。いくつかのデバイスは、ユーザが言葉またはメッセージを形成するために複数の文字をまとめてスワイプし得る、複数の改良されたメッセージング入力モードを提供してよいが、これらの入力モードは、それでもなお、ユーザがキーボードに集中して、複数の文字を言葉またはメッセージを形成するために連結させることに注意を払うことを必要とする。いくつかのデバイスは、また、言葉もしくは文言が、言葉または予め定められた文字列の少数の文字を入力した後に完成され得る複数の自動補完機能も提供してよいが、これらの入力モードもまた、ユーザがキーボードに複数の文字を入力することに集中することを必要とする。これらの複数の問題は、通常、携帯電話より小さいフォームファクタを有し、従って複数のメッセージの入力を、たとえ正常な状況においてもさらにより困難にするウェアラブル電子デバイスの場合に増大する。さらに、既存の電子デバイスは、それらが他のデバイスに送信する複数のメッセージにおいて明示的である。これらのダイレクトメッセージは、例えば、写真・イメージ、テキスト、または電子メールメッセージを含んでよい。さらに、複数のユーザ間での複数の既存のデジタルインタラクションは、複数のユーザ間における通信を提供するべく、携帯電話等、ユーザの主要な通信デバイスとのユーザの直接のインタラクションに依存する。そのような複数のメッセージング入力モードは、ユーザが例えば歩いているか、走っているか、スポーツを行っているか、あるいはユーザの注意が集中し得る何らかの他のアクティビティを行い、アクティブであり得るときに手間がかかるかもしれない。
【００５１】
様々な実施形態は、ユーザが、家族、友人、複数のソーシャルグループメンバ等のグループの複数の特定のメンバ、および／または複数の同僚と、ウェアラブル電子デバイスの複数の電子ビーズとインタラクションすることによって通信することを可能にするように構成されたウェアラブル電子デバイスを提供し、各電子ビーズは、グループの異なるメンバに関連付けられてよく、あるいは代替的に、１より多くの電子ビーズが同一のメンバに関連付けられてもよい。複数の特定の実施形態において、ユーザは、パルス、パターンまたは他の一意のジェスチャ等のメッセージを、特定の電子ビーズまたは多数のビーズに関連付けられた他のユーザに送信するべく、特定の電子ビーズまたは一連の電子ビーズとインタラクションすることが可能であり、あるいは、複数の電子ビーズに関連付けられた多数の異なるユーザにメッセージを送信するべく、複数の電子ビーズとインタラクションすることが可能である。１または複数の実施形態において、ウェアラブル電子デバイスは、ユーザがダイレクトメッセージを直接タイプしなければいけないよりもむしろ、要約メッセージを他のユーザに送信することを可能にする。例えば、ユーザは兄弟に、ユーザがその瞬間に彼のことを考えていることを示すパターンを送信し得る。他の例において、ユーザは、人に「思いやりとエネルギー」を与えていることを表すべく、人に「温かいグロウ（ｇｌｏｗ）」を送信する１または複数の電子ビーズとインタラクションしてよい。様々な実施形態に従って、第１のユーザからそのようなメッセージを受信する第２のユーザは、第１のユーザのウェアラブル電子デバイスに応答メッセージを送信するべく、第２のユーザに関連付けられた他のウェアラブル電子デバイスを用いてよい。
【００５２】
ここで図５を参照すると、図５は、複数のウェアラブル電子デバイスの間における無線通信用の通信システム５００の実施形態を示す簡略化されたブロック図である。通信システム５００は、第１のウェアラブル電子デバイス１０ａ、第１の電子通信デバイス５０２ａ、第２のウェアラブル電子デバイス１０ｂ、第２の電子通信デバイス５０２ｂ、１または複数のネットワーク５０４、サーバ５０６、およびデータベース５０８を含む。少なくとも１つの実施形態において、第１のウェアラブル電子デバイス１０ａは、第１の無線接続によって第１の電子通信デバイス５０２ａと通信し、第２のウェアラブル電子デバイス１０ｂは、第２の無線接続によって第２の電子通信デバイス５０２ｂと通信する。少なくとも１つの実施形態において、第１の電子通信デバイス５０２ａは、第３の無線接続によって１または複数のネットワーク５０４と通信し、第２の電子通信デバイス５０２ｂは、第４の無線接続によって１または複数のネットワーク５０４と通信する。複数の特定の実施形態において、第１の無線接続、第２の無線接続、第３の無線接続、および第４の無線接続の１または複数は、任意の３Ｇ／４Ｇ／ＬＴＥセルラー無線接続、ＷｉＦｉ／ＷｉＭＡＸ接続、Ｂｌｕｅｔｏｏｔｈ（登録商標）または何らかの他の同様の無線接続であってよい。
【００５３】
ネットワーク５０４は、ネットワーク５０４を介して伝搬する情報の複数のパケットを受信および送信するための複数の相互接続された通信経路の一連のポイントまたはノードであってよい。ネットワーク５０４は、通信インタフェースを提供し、任意のローカルエリアネットワーク（ＬＡＮ）、無線ローカルエリアネットワーク（ＷＬＡＮ）、メトロポリタンエリアネットワーク（ＭＡＮ）、イントラネット、エクストラネット、ＷＡＮ、仮想プライベートネットワーク（ＶＰＮ）、セルラーネットワークまたはネットワーク環境における通信を容易にする任意の他の適切なアーキテクチャもしくはシステムを含んでよい。ネットワーク５０４は、通信媒体を介して互いに結合された（および通信する）任意の数のハードウェアまたはソフトウェア要素を備え得る。第１の電子通信デバイス５０２ａおよび第２の通信デバイス５０２ｂは、コンピュータ（例えば、ノートブックコンピュータ、ラップトップ、タブレットコンピュータまたはデバイス）、ファブレット、携帯電話、携帯情報端末（ＰＤＡ）、スマートフォン、任意のタイプのムービープレイヤ、ルータ、アクセスポイント、他のウェアラブル電子デバイスまたは複数の電子コンポーネント（任意のタイプの複数のコンポーネント、要素、電気回路等を含む）に結合された回路基板を含む他のデバイスであってよい。１または複数の実施形態において、第１のウェアラブル電子デバイス１０ａおよび第１の電子通信デバイス５０２ａは、第１のユーザに関連付けられ、第２のウェアラブル電子デバイス１０ｂおよび第２の電子通信デバイス５０２ｂは、第２のユーザに関連付けられる。
【００５４】
サーバ５０６は、ネットワーク５０４と通信し、データベース５０８とさらに通信する。１または複数の実施形態において、サーバ５０６は、第１のブレスレット部分１２ａに取り付けられた電子ビーズ１６ａ−１６ｆの１または複数にタッチする第１のユーザによって開始され、ウェアラブル電子デバイス１０ａの通信モジュール１８によって伝送されるメッセージまたは複数のメッセージを受信し、メッセージまたは複数のメッセージが向けられ送られるべきである第２のウェアラブル電子デバイス１０ｂの第２のブレスレット部分１２ｂに取り付けられた１または複数の電子ビーズ１６ａ'−１６ｅ'を決定し、１または複数のメッセージをチャームデバイス１６ａ'−１６ｅ'の１または複数にリレーするように構成されている。１または複数の実施形態において、データベース５０８は、第１のウェアラブル電子デバイス１０ａの第１のユーザに関連付けられた第１のユーザ識別子（ユーザＩＤ＃１）および電子ビーズ１６ａ−１６ｆのそれぞれに関連付けられた１または複数のデバイス識別子（デバイスＩＤ＃１‐デバイスＩＤ＃６）を含む１または複数の記録を含んでよい。第１のユーザ識別子は、第２のウェアラブル電子デバイス１０ｂの第２のユーザにさらに関連付けられた第２のユーザ識別子（ユーザＩＤ＃２）にさらに関連付けられてもよい。第１のウェアラブル電子デバイス１０ａの電子ビーズ１６ａ−１６ｆのデバイス識別子のそれぞれは、第２のウェアラブル電子デバイス１０ｂの電子ビーズ１６ａ'−１６ｆ'に関連付けられた、対応するデバイス識別子（デバイスＩＤ＃７‐デバイスＩＤ＃１２）に関連付けられてよい。
【００５５】
第１のウェアラブル電子デバイス１０ａの第１のユーザに対する例示的データベースレコードは、以下のようである。
【表１】
0006282734.tif 000002
【００５６】
特定の実施形態において、ユーザＩＤ＃１は、第１の電子通信デバイス５０２ａに関連付けられた携帯電話番号であり、ユーザＩＤ＃２は、第２の電子通信デバイス５０２ｂに関連付けられた携帯電話番号である。
【００５７】
様々な実施形態に従って、第１のウェアラブル電子デバイス１０ａの第１のユーザは、ウェアラブル電子デバイス１０ａを、ユーザＩＤ＃１、デバイスＩＤ＃１‐デバイスＩＤ＃６、およびユーザＩＤ＃２が第１の電子通信デバイス５０２ａに関連付けられたソフトウェアアプリケーションに提供されるサーバ５０６に登録する登録プロセスを開始してよく、第１の電子通信デバイス５０２ａは、ユーザＩＤ＃１、デバイスＩＤ＃１‐デバイスＩＤ＃６、およびユーザＩＤ＃２をサーバ５０６に送信する。サーバ５０６は、次に、デバイスＩＤ＃１‐デバイスＩＤ＃６およびユーザＩＤ＃２をユーザＩＤ＃１に関連付けられたデータベースレコードにストアする。特定の複数の実施形態において、第１のユーザは、第１のユーザがユーザＩＤ＃２に関連付けられたネームをコンタクトリストから選択し、ユーザＩＤ＃２を第１の電子通信デバイス５０２ａによって提供されるユーザインタフェースを用いてデバイスＩＤ＃１に関連付けることによって、ユーザＩＤ＃２を第１の電子通信デバイス５０２ａに提供してよい。
【００５８】
様々な実施形態に従って、第２のユーザは、第２のウェアラブル電子デバイス１０ｂの第２のブレスレット部分１２ｂに取り付けられた電子ビーズ１６ａ'‐１６ｆ'を第１のウェアラブル電子デバイス１０ａの対応する電子ビーズ１６ａ−１６ｆに関連付け、複数の関連付けをサーバ５０６内にストアするべく、第２のウェアラブル電子デバイス１０ｂを第１のユーザに関連付けてよい。
【００５９】
図５に関連付けられた複数の例示的動作において、第１のユーザは、第１のウェアラブル電子デバイス１０ａの電子ビーズ１６ｂおよび電子ビーズ１６ｃとインタラクションしてよい。例えば、第１のユーザは、複数のタッチ入力のパターンを電子ビーズ１６ｂおよび電子ビーズ１６ｃに入力してよい。第１のウェアラブル電子デバイス１０ａの通信モジュール１８は、次にデバイスＩＤ＃２およびデバイスＩＤ＃３を含むインタラクション入力を示す情報を含む１または複数の第１のメッセージを第１の電子通信デバイス５０２ａに送信してよい。第１の電子デバイス５０２ａは、次に、インタラクションインジケーション、デバイスＩＤ＃２、デバイスＩＤ＃３、およびユーザＩＤ＃１を含む第２のメッセージをサーバ５０６に送信する。サーバ５０６は、次に、第２のメッセージが、データベース５０８内にストアされた複数の関連付けを参照することによってユーザＩＤ＃２に向けられ送られると決定してよい。サーバ５０６は、次に、インタラクションパターンを示す情報、電子ビーズ１６ｂ'に関連付けられたデバイスＩＤ＃８、および電子ビーズ１６ｃ'に関連付けられたデバイスＩＤ＃９を含め、第３のメッセージを第２の電子通信デバイス５０２ｂに送信してよい。第２の電子通信デバイス５０２ｂは、次に、第２のウェアラブル電子デバイス１０ｂの通信モジュール１８'に第４のメッセージを送信してよい。応答において、通信モジュール１８'は電子ビーズ１６ｂ'および電子ビーズ１６ｃ'に第２のユーザにインタラクションパターンを示す体感用出力を提供するよう命令してよい。特定の実施形態において、電子ビーズ１６ｂ'および電子ビーズ１６ｃ'は、第１のユーザによって入力されたパターンまたはシーケンスを複製するべく、照明および／または振動出力の１または複数を第２のユーザに提供してよい。
【００６０】
様々な実施形態に従って、第２のユーザは、電子ビーズ１６ａ'‐１６ｆ'の１または複数におけるタッチ入力を用い、第１のユーザに応答を送信してよく、応答を示す１または複数の出力は、第１のウェアラブル電子デバイス１０ａの電子ビーズ１６ａ−１６ｆによって第１のユーザに提供されてよい。
【００６１】
図５の実施形態は、第１の電子通信デバイス５０２ａ、第２の電子通信デバイス５０２ｂ、サーバ５０６、およびデータベース５０８を用いるとして示されているが、複数の他の代替の実施形態において、第１の電子通信デバイス５０２ａ、第２の電子通信デバイス５０２ｂ、サーバ５０６、およびデータベース５０８の１または複数は省略されてもよいことは理解されるべきである。複数の特定の実施形態において、第１のウェアラブル電子デバイス１０ａの通信モジュール１８および第２のウェアラブル電子デバイス１０ｂの通信モジュール１８'は、第１の電子通信デバイス５０２ａ、第２の電子通信デバイス５０２ｂ、サーバ５０６、および／またはデータベース５０８のユーザを要することなく、互いに直接通信してよい。
【００６２】
代替の複数の実施形態において、電子ビーズ１６ａ‐１６ｆの１または複数は、電子ビーズ１６ａ−１６ｆによって照らされるパターンおよび照明の色の１または複数に基づいて、呼び出すユーザの身元のビジュアルインジケーションを提供してよい。
【００６３】
図６は、本開示の他の実施形態に係る無線通信に対する抽象化されたメッセージングウェアラブル電子デバイス６０ａを示す簡略化された正投影図である。ウェアラブル電子デバイス６０ａは、タイマー入力デバイス６４を有する通信モジュール６２、第１の光ファイバライトストランド６６ａ、第２の光ファイバライトストランド６６ｂ、第３の光ファイバライトストランド６６ｃ、および第４の光ファイバライトストランド６６ｄを含み得る。図６に示される特定の実施形態において、第１の光ファイバライトストランド６６ａ、第２の光ファイバライトストランド６６ｂ、第３の光ファイバライトストランド６６ｃ、および第４の光ファイバライトストランド６６ｄのそれぞれの対向する端は、通信モジュール６２に取り付けられており、ウェアラブル電子デバイス６０ａのブレスレット部分を形成し、通信モジュール６２のユーザに付けることを容易にする。
【００６４】
様々な実施形態において、第１の通信モジュール６２ａは、第２のユーザに関連付けられた第２のウェアラブル電子デバイス等の他の無線電子デバイスと通信するようにさらに構成されてよい。１または複数の実施形態において、ウェアラブル電子デバイス６０ａの第１のユーザは、決定されたメッセージ持続期間を設定するべくタイマー入力デバイス６４ａを用いてよい。応答において、通信モジュール６２は、決定されたメッセージ持続期間を示す情報、第１のユーザに関連付けられた第１のユーザ識別子、および第２のユーザに関連付けられた第２のユーザ識別子を含む１または複数のメッセージを、第２のユーザに関連付けられた第２のウェアラブル電子デバイスに伝送してよい。一実施形態において、タイマー入力デバイス６４ａは、タイマーダイアルを含んでよく、ユーザは、タイマーダイアルをメッセージの長さを示す特定の位置に回す。タイマーダイアルがリリースされ次第、タイマーダイアルは、予め定められたメッセージ持続期間が過ぎるとその元の位置に回転して戻ってよい。さらに他の複数の実施形態において、タイマー入力デバイス６４ａは、第１のユーザが予め定められたメッセージ持続期間を設定することを許可するように構成されたタッチ入力または１または複数のボタンを含んでよい。１または複数のメッセージを受信すると、第２のウェアラブル電子デバイスの第２の通信モジュールは、第２のウェアラブル電子デバイスの１または複数のファイバ光学ライトストランドを、示される予め定められたメッセージ持続期間に対して、予め定められたパターンでパルスさせる。
【００６５】
１または複数の実施形態において、第１の通信モジュール６２ａは、第１の通信デバイスに関連付けられたユーザ識別子および第２のユーザによって選択された決定されたメッセージ持続期間を示す情報を含む他のウェアラブル電子デバイスからのメッセージを受信するようにさらに構成されてよい。応答において、第１の通信モジュールは、第１の光学ライトストランド６６ａ、第２の光学ライトストランド６６ｂ、第３の光学ライトストランド６６ｃ、および第４の光学ライトストランド６６ｄの１または複数を、示された決定されたメッセージ持続期間に対して予め定められたパターンでパルスさせてよい。
【００６６】
いくつか実施形態において、光学ライトストランド６６ａ−６６ｄによって照らされる１または複数の色は、メッセージを送信するユーザの身元を示してよい。さらに他の複数の実施形態において、光学ライトストランド６６ａ−６６ｄによって照らされる色は、第２のユーザがメンバである、および／または第１のユーザおよび第２のユーザの両方がメンバであるのいずれかであるソーシャルグループを示してよい。
【００６７】
図７Ａ−７Ｃをここで参照すると、図７Ａ−７Ｃは、図６のウェアラブル電子デバイス６０ａを用いる抽象化されたメッセージングに対する複数の例示的手順の実施形態を示す。図７Ａにおいて、タイマー入力デバイス６４ａは、時間メッセージは通信モジュール６２ａによって現在伝送されていないアイドル状態において示される。図７Ｂにおいて、タイマー入力デバイス６４ａは、ユーザが角度６８で決定された持続期間を有する通信モジュール６２ａによってメッセージの送信を開始するべくタイマー入力デバイス６４ａを角度６８の分だけ回転させた状態で示される。例えば、特定の実施形態において、角度６８は、決定されたメッセージの持続期間をユーザが二十（２０）秒に設定することを表す。図７Ｃにおいて、タイマー入力デバイス６４ａは、角度７０によって決定される持続期間を有する通信モジュール６２ａによってメッセージの送信を開始するべく、ユーザがタイマー入力デバイス６４ａを角度７０の分だけ回転させた状態で示される。例えば、特定の実施形態において、角度７０は、決定されたメッセージの持続期間をユーザが四十（４０）秒に設定することを表してよい。１または複数の実施形態において、タイマー入力デバイス６４ａは、決定された持続期間の満了した後、図７Ａに示されるようなアイドル状態に戻ってよい。
【００６８】
図８をここで参照すると、図８は、本明細書において検討されるようにウェアラブル電子デバイス６０ａに関連付けられた複数のアクティビティを実行するために用いられてよい例示的ロジックを示す簡略化されたブロック図である。少なくとも１つの例示的な実施形態において、ウェアラブル電子デバイス６０ａは、タイマー入力デバイス６４を有する通信モジュール６２ａ、タイマーモジュール８０２、システムメモリ８０４、不揮発性メモリおよび／またはストレージ８０６、電力管理コントローラ８０８、１または複数のプロセッサ８１０、光ファイバドライバモジュール８１２、無線通信モジュール８１４、およびメッセージングモジュール８１６を含み得、それぞれはシステム制御ロジック８１８に結合されている。
【００６９】
タイマーモジュール８０２は、タイマー入力デバイス６４からユーザ入力を受信し、タイマー入力デバイス６４からのユーザ入力に応答して、決定された持続期間を有するタイミング機能を開始するように構成されてよい。当該タイミング機能は、決定された持続期間を有するタイマーを開始し、１または複数のプロセッサ８１０に信号を提供し、メッセージングモジュール８１６は、メッセージが通信モジュール６２ａによって伝送されるべきであることを示す。
【００７０】
システム制御ロジック８１８、少なくとも１つの実施形態において、１または複数のプロセッサ８１０および／またはシステム制御ロジック４１８と通信する任意の適切なデバイスまたはコンポーネントに任意の適切なインタフェースを提供するべく、複数の任意の適切なインタフェースコントローラを含み得る。システム制御ロジック８１８は、少なくとも１つの実施形態において、システムメモリ８０４にインタフェースを提供する１または複数のメモリコントローラを含み得る。システムメモリ８０４は、例えば、通信モジュール６２ａに対するデータおよび／または複数の命令をロードしストアするために用いられてよい。システムメモリ８０４は、少なくとも１つの実施形態において、例えば適切な動的ランダムアクセスメモリ（ＤＲＡＭ）等の任意の適切な揮発性メモリを含み得る。システムメモリ８０４は、適切なソフトウェア８２０および／または不揮発性メモリおよび／または１または複数のストレージデバイスをストアしてよい。
【００７１】
不揮発性メモリおよび／またはストレージデバイス８０６は、例えばソフトウェア８２２内にデータおよび／または複数の命令をストアするために用いられてよい。不揮発性メモリおよび／またはストレージデバイス８０６は、例えばフラッシュメモリ等の任意の適切な不揮発性メモリを含んでよく、かつ／または、例えば１または複数のハードディスクドライブ（ＨＤＤ）、ソリッドステートドライブ（ＳＳＤ）等の任意の適切な１または複数の不揮発性ストレージデバイスを含んでよい。様々な実施形態において、不揮発性メモリおよび／またはストレージ４０６は、光学ライトストランド６６ａ−６６ｄのそれぞれを一意に識別するべく、光学ライトストランド６６ａ−６６ｄのそれぞれに関連付けられたデバイス識別子８２４を含む。
【００７２】
電力管理コントローラ８０８は、様々な電力管理および／または省電力機能を制御するように構成された電力管理ロジック８２６を含んでよい。少なくとも１つの例示的な実施形態において、電力管理ロジック８２６は、ウェアラブル電子デバイスが（例えば、アクセスされていない等）非アクティブ状態にあるとき、低減された電力で操作されるまたはオフにされるかのいずれかであってよいウェアラブル電子デバイス６０ａの複数のコンポーネントもしくはデバイスの電力消費を、低減するように構成されている。例えば、少なくとも１つの実施形態において、ウェアラブル電子デバイス６０ａが非アクティブ状態にあるとき、電力管理ロジック８２６は、以下の１または複数を実行してよい。より少ない計算パワーがインアクティビティの期間中に必要とされる場合、１または複数のプロセッサ８１０がより低い電力状態に移るのを許可する。ウェアラブル電子デバイス６０ａが非アクティブ状態にあるとき使用されていないかもしれない複数の任意のデバイスおよび／またはコンポーネントをシャットダウンする。システム制御ロジック８１８は、少なくとも１つの実施形態において、任意の適切な１または複数の入出力デバイス、例えば、音を対応する複数のデジタル信号に変換することを支援し、かつ／または複数のデジタル信号を対応する音に変換することを支援するオーディオデバイス、カメラおよび／またはビデオレコーダにインタフェースを提供する１または複数のＩ／Ｏコントローラを含み得る。
【００７３】
少なくとも１つの実施形態に対し、１または複数のプロセッサ８１０は、システム制御ロジック８１８の１または複数のコントローラに対するロジックと一緒にパッケージされてよい。少なくとも１つの実施形態において、１または複数のプロセッサ８１０は、システムオンパッケージ（ＳｉＰ）を形成するべくシステム制御ロジック８１８の１または複数のコントローラに対するロジックと一緒にパッケージされてよい。少なくとも１つの実施形態において１または複数のプロセッサ８１０は、システム制御ロジック８１８の１または複数のコントローラに対するロジックと同じダイ上で集積されてよい。少なくとも１つの実施形態に対し、１または複数のプロセッサ８１０は、システムオンチップ（ＳｏＣ）を形成するべくシステム制御ロジック８１８の１または複数のコントローラに対するロジックと同じダイ上で集積されてよい。
【００７４】
光ファイバドライバモジュール８１２は、第１の光学ライトストランド６６ａ、第２の光学ライトストランド６６ｂ、第３の光学ライトストランド６６ｃ、および第４の光学ライトストランド６６ｄのそれぞれに結合され、第１の光学ライトストランド６６ａ、第２の光学ライトストランド６６ｂ第３の光学ライトストランド６６ｃ、および第４の光学ライトストランド６６ｄのそれぞれを、それらの各々の長さの一部に沿って照明を点灯するように駆動するように構成されている。様々な実施形態において、光ファイバドライバモジュール８１２は、第１の光学ライトストランド６６ａ、第２の光学ライトストランド６６ｂ、第３の光学ライトストランド６６ｃ、および第４の光学ライトストランド６６ｄに１または複数の決定された色で照明を点灯させるように構成されてよい。
【００７５】
無線通信モジュール８１４（例えば、Ｗｉ−Ｆｉモジュール、Ｂｌｕｅｔｏｏｔｈ（登録商標）モジュール、ニアフィールド通信（ＮＦＣ）モジュール、または他の無線通信電気回路）は、通信モジュール６２ａがネットワーク上で無線接続を介して１または複数の他の（ウェアラブルまたは非ウェアラブルの）電子デバイスと通信することを可能にしてよい。無線接続は、任意の３Ｇ／４Ｇ／ＬＴＥセルラー無線接続、ＷｉＦｉ／ＷｉＭＡＸ接続、Ｂｌｕｅｔｏｏｔｈ（登録商標）接続、または何らかの他の同様の無線接続であってよい。１または複数の実施形態において、無線通信電気回路は、他の双方向無線可能デバイスとの双方向無線通信を提供するように構成され得る。実施形態において、複数のアンテナは、複数の無線接続アクティビティに関連付けられてよい通信モジュール６２と併せて供給され得る。    アンテナは、電流を電波または電波信号へと変換し得る複数の電気コンポーネントを反映してよく、通信モジュール６２ａは、（１または複数のＷｉ−Ｆｉネットワークを位置付ける）無線標識、受信された信号強度インジケータ（ＲＳＳＩ）、リンク品質インジケータ（ＬＱＪ）、１または複数の３Ｇ／４Ｇ／ＬＴＥセルラー無線接続に対する測定レポート、それの組み合わせ等を含むがそれらに限定されない様々な信号測定技術を用いて通信のベストモードを決定するロジックを含んでよい。メッセージングモジュール８１６は、本明細書において記載される様々な要約メッセージング機能を実行するように構成されたロジック８２８を含んでよい。
【００７６】
１または複数の実施形態において、通信モジュール６２ａは、交換式のバッテリを用いて動作するように構成されてよく、場合によっては、再充電可能なバッテリを用いて動作するように構成されてもよく、バッテリのそれぞれは、ハウジング部分に収容されてよい。いくつかの実施形態において、通信モジュール６２ａは、再充電可能なバッテリを通信モジュール６２ａ内で充電することを容易にするべく充電デバイスとの組み合わせで用いられ得る、通信モジュール６２ａの外面上で構成された複数の充電用コンタクトを含んでよい。実質的に任意の手段が、通信モジュール６２ａに対する電力および／または充電を提供するために用いられてよく、従って、手段は、明らかに本開示の範囲内にある。
【００７７】
図９は、複数のウェアラブル電子デバイスの間の無線通信に対する通信システム９００の他の実施形態を示す簡略化されたブロック図である。通信システム９００は、第１のウェアラブル電子デバイス６０ａ、第１の電子通信デバイス９０２ａ、１または複数のネットワーク９０４、第２のウェアラブル電子デバイス６０ｂ、第２の電子通信デバイス９０２ｂ、サーバ９０６、およびデータベース９０８を含む。少なくとも１つの実施形態において、第１のウェアラブル電子デバイス６０ａは、第１の無線接続によって第１の電子通信デバイス９０２ａと通信し、第２のウェアラブル電子デバイス６０ｂは、第２の無線接続によって第２の電子通信デバイス９０２ｂと通信する。少なくとも１つの実施形態において、第１の電子通信デバイス９０２ａは、第３の無線接続によって１または複数のネットワーク９０４と通信し、第２の電子通信デバイス６０ｂは、第４の無線接続によってネットワーク９０４と通信する。
【００７８】
１または複数のネットワーク９０４は、１または複数のネットワーク９０４を介して伝搬する情報のパケットを受信および送信するための複数の相互接続された通信経路の一連のポイントまたはノードであってよい。第１の電子通信デバイス９０２ａおよび第２の通信デバイス９０２ｂは、コンピュータ（例えば、ノートブックコンピュータ、ラップトップ、タブレットコンピュータまたはデバイス）、ファブレット、携帯電話、携帯情報端末（ＰＤＡ）、スマートフォン、任意のタイプのムービープレイヤ、ルータ、アクセスポイント、他のウェアラブル電子デバイスまたは複数の電子コンポーネントに結合された（任意のタイプの複数のコンポーネント、要素、電気回路等を含む）回路基板を含む他のデバイスであってよい。１または複数の実施形態において、第１のウェアラブル電子デバイス６０ａおよび第１の電子通信デバイス９０２ａは、第１のユーザに関連付けられ、第２のウェアラブル電子デバイス６０ｂおよび第２の電子通信デバイス９０２ｂは、第２のユーザに関連付けられる。
【００７９】
サーバ９０６は、１または複数のネットワーク９０４と通信し、データベース９０８とさらなる通信をする。１または複数の実施形態において、サーバ９０６は、時限メッセージまたは第１のウェアラブル電子デバイス６０ａの第１のユーザによって開始された複数のメッセージを受信し、メッセージまたは複数のメッセージに応答して照明を点灯させるべき第２のウェアラブル電子デバイス６０ｂに取り付けられた１または複数の光学ライトストランドを決定し、１または複数のメッセージを第２のウェアラブル電子デバイス６０ｂの第２の通信モジュール６２ｂにリレーするように構成されている。１または複数の実施形態において、データベース９０８は、第１のウェアラブル電子デバイス６０ａの第１のユーザに関連付けられた第１のユーザ識別子および光学ライトストランド６６ａ−６６ｄのそれぞれに関連付けられた１または複数の識別子を含む１または複数の記録を含んでよい。第１のユーザ識別子は、第２のウェアラブル電子デバイス６０ｂの第２のユーザにさらに関連付けられた第２のユーザ識別子にさらに関連付けられてもよい。
【００８０】
図９に関連付けられた複数の例示的動作において、第１のユーザは、決定されたメッセージ持続期間を設定するべく、第１のウェアラブル電子デバイス６０ａの第１のタイマー入力デバイス６４ａとインタラクションしてよい。第１のウェアラブル電子デバイス６０ａの通信モジュール６２ａは、次に、時限持続期間を示す情報を含む１または複数の第１のメッセージを第１の電子通信デバイス９０２ａに送信してよい。第１の電子デバイス９０２ａは、次に、決定されたメッセージ持続期間および第１のユーザ識別子を示す情報を含む第２のメッセージを、サーバ９０６に送信する。サーバ５０６は、次に、データベース５０８内にストアされた複数の関連付けを参照することによって、第２のメッセージが第２のウェアラブル電子デバイス６０ｂに関連付けられた第２のユーザに向けられると決定してよい。サーバ９０６は、次に、決定された持続期間を示す情報を含む第３のメッセージを、第２の電子通信デバイス９０２ｂに送信する。第２の電子通信デバイス９０２ｂは、次に、第２のウェアラブル電子デバイス６０ｂの第２の通信モジュール６２ｂに第４のメッセージを送信してよい。応答において、通信モジュール６２ｂは、決定された持続期間を示す体感用出力を第２のユーザに提供するべく、第１の光学ライトストランド６６ａ、第２の光学ライトストランド６６ｂ、第３の光学ライトストランド６６ｃ、および第４の光学ライトストランド６６ｄの１または複数を明るくしてよい。特定の実施形態において、光学ライトストランド６６ａ−６６ｄの１または複数は、決定された持続期間を予め定められたパターンでパルスにしてよい。
【００８１】
様々な実施形態に従って、第２のユーザは、第２のタイマー入力デバイス６４ｂを用いて設定された他の決定された持続期間の第１のウェアラブル電子デバイス６０ａの第１の通信モジュール６２ａに応答メッセージを送信してよい。応答メッセージを受信すると、第１の通信モジュール６２ａは、他の決定された持続期間の間、光学ライトストランド６６ａ−６６ｄの１または複数を明るくしてよい。
【００８２】
図９の実施形態は、第１の電子通信デバイス９０２ａ、第２の電子通信デバイス９０２ｂ、サーバ９０６、およびデータベース９０８を用いるとして示されているが、複数の他の代替の実施形態において、第１の電子通信デバイス９０２ａ、第２の電子通信デバイス９０２ｂ、サーバ９０６、およびデータベース９０８の１または複数は省略されてもよいことが理解されるべきである。複数の特定の実施形態において、第１のウェアラブル電子デバイス６０ａの通信モジュール６２ａおよび第２のウェアラブル電子デバイス６０ｂの通信モジュール６２ｂは、第１の電子通信デバイス９０２ａ、第２の電子通信デバイス９０２ｂ、サーバ９０６、および／またはデータベース９０８のユーザを要することなく互いに直接通信してよい。
【００８３】
図１０をここで参照すると、図１０は、本開示の実施形態に従って、ウェアラブル電子デバイス１０ａに対する複数の潜在的な動作を示す簡略化されたフロー図１０００である。複数の動作は、第１のユーザによる第１のタッチ入力を示す第１のメッセージを第２のユーザの他のウェアラブル電子デバイスに通信し、他のウェアラブル電子デバイスを用いて第２のユーザによる第２のタッチ入力を示す第２のメッセージを受信し、第２のタッチ入力を示す体感用出力を第１のユーザに提供するために用いられてよい。
【００８４】
１００２において、少なくとも１つの電子ビーズ１６ａ−１６ｆと通信する通信モジュール１８は、少なくとも１つの電子ビーズから第１のタッチ入力を受信する。複数の特定の実施形態において、少なくとも１つの電子ビーズ１６ａ−１６ｆは、ウェアラブル電子デバイス１０ａに関連付けられた第１のユーザから第１のタッチ入力を受信する。１００４において、通信モジュール１８は、第１のタッチ入力および少なくとも１つの電子ビーズに関連付けられた第１のデバイス識別子を示す第１の情報を含む第１のメッセージを、第２のユーザに関連付けられた電子デバイスに送信する。
【００８５】
複数の特定の実施形態において、ウェアラブル電子デバイス１０ａは、ブレスレット部分をさらに含み、少なくとも１つの電子ビーズおよび通信モジュールは、ブレスレット部分に取り付けられるように構成されている。いくつかの実施形態において、第１のデバイス識別子は、第２のユーザにさらに関連付けられる。様々な実施形態において、第２のユーザに関連付けられた電子デバイスは、他のウェアラブル電子デバイスを含む。さらに他の複数の実施形態において、第２のユーザに関連付けられた電子デバイスは、第１のタッチ入力を示す第１の体感用出力を提供するように構成されている。特定の実施形態において、第１のデバイス識別子の第２のユーザとの関連付けは、第１のユーザによって実行される。
【００８６】
１または複数の実施形態において、第１のタッチ入力は、ウェアラブル電子デバイスの複数の電子ビーズに提供された複数のタッチ入力のパターンを含み、第１のメッセージは、複数のタッチ入力のパターンを示す第１の情報を含む。
【００８７】
１００６において、通信モジュール１８は、第２のユーザに関連付けられた電子デバイスに提供された第２のタッチ入力、および第２のユーザに関連付けられた電子デバイスに関連付けられた第２のデバイス識別子を示す第２の情報を含む第２のメッセージを受信する。複数の特定の実施形態において、第２のデバイス識別子が第１のユーザにさらに関連付けられる。
【００８８】
１００８において、少なくとも１つの電子ビーズに関連付けられた少なくとも１つの体感用出力デバイスは、第２のタッチ入力を示す第２の体感用出力を提供し、複数の動作が終了する。複数の特定の実施形態において、少なくとも１つの体感用出力デバイスは、照明デバイスおよび振動デバイスのうち少なくとも１つを含む。他の複数の特定の実施形態において、第２のタッチ入力は、第２のユーザに関連付けられた電子デバイスに提供された複数のタッチ入力のパターンを含み、第２の情報は、複数のタッチ入力のパターンを示す。さらに他の複数の特定の実施形態において、通信モジュール１８は、複数の電子ビーズのそれぞれの体感用出力デバイスに、複数のタッチ入力のパターンを示す体感用出力を提供させるようにさらに構成されている。
【００８９】
図１１をここで参照すると、図１１は、本開示の他の実施形態に従ってウェアラブル電子デバイス６０ａの複数の潜在的な動作を示す簡略化されたフロー図１１００である。１１０２において、通信モジュール６２ａは、ウェアラブル電子デバイスに関連付けられた第１のユーザから第１の決定されたメッセージ持続期間を示すタイマー入力を受信する。複数の特定の実施形態において、通信モジュール１８は、第１のユーザからタイマー入力を受信するように構成されたタイマー入力デバイスを含む。１１０４において、通信モジュール６２ａは、第１の決定されたメッセージ持続期間を示す第１の情報を含む第１のメッセージを、第２のユーザに関連付けられた電子デバイスに送信する。１または複数の実施形態において、第２のユーザに関連付けられた電子デバイスは、第１の決定されたメッセージ持続期間に対応する期間の間、照明出力を提供するように構成されている。
【００９０】
１１０６において、通信モジュール６２ａは、第２の決定されたメッセージを示す第２の情報を含む第２のメッセージを、第２のユーザに関連付けられた電子デバイスから受信する。１１０８において、通信モジュール６２ａは、通信モジュール６２ａと通信する光学ライトストランド１６ａ−１６ｆの少なくとも１つに、第２の決定されたメッセージ持続期間に対応する期間の間、照明を点灯させ、複数の動作は終了する。１または複数の実施形態において、少なくとも１つの光学ストランドは、ウェアラブル電子デバイスのブレスレット部分を備える。
【００９１】
上記の例示的手段および方法は、ウェアラブル通信デバイス１０を用いて通信するために用いられてよい多くの手段および方法のうち少数のみである。実質的に任意の他の手段が用いられ得る。従って、任意の手段は、明らかに本開示の範囲内にある。
【００９２】
いくつかの例示的実装において、本明細書において概説される複数の機能は、１または複数の有形の非一時的媒体（例えば、特定用途向け集積回路（ＡＳＩＣ）、デジタル信号プロセッサ（ＤＳＰ）命令、において提供される埋め込みロジック、プロセッサまたは他の同様の機械等によって実行されるソフトウェア（潜在的にオブジェクトコードおよびソースコードを含む））においてエンコードされるロジックと共に実装されてよいことに留意されたい。これらインスタンスのいくつかにおいて、メモリ素子は、本明細書において記載される複数の動作に対して用いられるデータをストアし得る。これは、本明細書において記載される複数のアクティビティを実施するべく実行されるソフトウェア、ロジック、コード、または複数のプロセッサ命令をストアすることが可能な複数のメモリ素子を含み得る。プロセッサは、本明細書において詳述される複数の動作を実現するデータに関連付けられた複数の任意のタイプの命令を実行し得る。一例において、プロセッサは、素子または品目（例えばデータ）を１つの状態もしくは物から他の状態もしくは物へと変換し得る。他の例において、本明細書で概説される複数のアクティビティは、固定されたロジックまたはプログラマブルロジック（例えば、プロセッサによって実行されるソフトウェア／コンピュータ命令）で実装されてよく、本明細書において識別される複数の素子は、何らかのタイプのプログラマブルプロセッサ、プログラマブルデジタルロジック（例えば、フィールドプログラマブルゲートアレイ（ＦＰＧＡ）、ＤＳＰ、消去可能プログラマブルリードオンリメモリ（ＥＰＲＯＭ）、電気的消去可能プログラマブルリードオンリメモリ（ＥＥＰＲＯＭ））、またはデジタルロジック、ソフトウェア、コード、電子命令またはそれの任意の適切な組み合わせを含み得るＡＳＩＣであってよい。
【００９３】
複数のプログラム命令は、複数の命令でプログラミングされた汎用または専用処理システムに本明細書において記載される複数の動作を実行させるために用いられてよい。あるいは、複数の動作は、複数の動作を実行するためのハードワイヤードロジックを含む特定のハードウェアコンポーネントによって、または複数のプログラミングされたコンピュータコンポーネントおよび複数のカスタムハードウェアコンポーネントの任意の組み合わせによって、実行されてよい。本明細書において記載される複数の方法は、複数の方法を実行する処理システムまたは他の電子デバイスをプログラムするために用いられてよい複数の命令がそこに格納された１または複数の非一時的な有形の機械可読媒体を含んでよいコンピュータプログラムプロダクトとして提供されてよい。本明細書において用いられる用語「機械可読媒体」は、機械による実行に対する命令のシーケンスをストアまたはエンコードすることが可能であり、機械に本明細書において記載される複数の方法のうち任意の１つを実行させる任意の媒体を含むであろう。用語「非一時的機械可読媒体」は従って、ソリッドステートメモリ、光学および磁気ディスク等の複数のメモリを含むであろうが、それらに限定されない。さらに、どのような形態にせよ（例えば、プログラム、手順、プロセス、アプリケーション、モジュール、ロジック等）ソフトウェアを、アクションを取る、または結果をもたらすものとして述べるのは、当技術分野において一般的である。そのような表現は、単に、処理システムによるソフトウェアの実行がプロセッサに動作を実行させ、またはプロセッサが結果を生成すると述べることの簡潔な表現態様にすぎない。
【００９４】
本明細書において概説される全ての仕様、寸法、および関係（例えば、幅、長さ、厚さ、材料等）は、例示および教示だけの目的で提供されただけであることに留意することは必須である。これらのデータのそれぞれは、本開示の主旨または添付の請求項の範囲から逸脱せずに大幅に変更されてよい。複数の仕様が、１つの非限定的な例にのみ適用し、それに応じてそのように解釈されるべきである。前述の記載において、例示的な実施形態が記載された。様々な修正および変更が、複数のそのような実施形態に対し、添付の請求項の範囲から逸脱することなくなされてもよい。従って、記載および図面は、限定的な手段ではなくむしろ例示とみなされるべきである。
【００９５】
多数の他の変更、代替、変形、改変、および修正は、当業者に明らかになり、本開示は、添付の特許請求の範囲内に包含されるものとしてそのような全ての変更、代替、変形、改変、および修正を含むことが意図される。米国特許商標庁（ＵＳＰＴＯ）を支援し、さらに本出願において発行された任意の特許の任意の読者がここに添付された特許請求の範囲を解釈することを支援するべく、出願人は、（Ａ）添付の請求項のいずれも、用語「ための手段」または「ためのステップ」が特定の請求項で具体的に用いられない限り、米国特許法の第六パラグラフ（６）、セクション１１２を、この出願日において存在するように行使することは意図していない、および（ｂ）明細書における任意の供述によって、添付の特許請求の範囲に他のやり方で反映されていない如何なる態様においても本開示を限定することは意図していないことを、出願人は指摘することを望む。例示的な実施形態実装 
【００９６】
以下の複数の例は、本明細書による複数の実施形態に関する。また、上記の装置およびシステムの全ての任意選択の機能は、本明細書において記載される方法もしくはプロセスに関連して実装されてもよく、複数の例における具体的な事柄は、１または複数の実施形態のいずれかの箇所において用いられてもよいことに留意されたい。
【００９７】
例１は、ウェアラブル電子デバイスに関連付けられた第１のユーザから第１のタッチ入力を受信するように構成されたタッチ入力デバイスを含む少なくとも１つの電子ビーズと、少なくとも１つの電子ビーズと通信する通信モジュールであって、少なくとも１つの電子ビーズから第１のタッチ入力を受信し、第１のタッチ入力および少なくとも１つの電子ビーズに関連付けられた第１のデバイス識別子を示す第１の情報を含む第１のメッセージを、第２のユーザに関連付けられた電子デバイスに送信するように構成されたプロセッサを含む、通信モジュールと、を備える、ウェアラブル電子デバイスである。
【００９８】
例２において、例１の主題は、ブレスレット部分を任意選択的に含み、少なくとも１つの電子ビーズおよび通信モジュールは、ブレスレット部分に取り付けられるように構成されている。
【００９９】
例３において、例１−２のいずれかの主題は、第１のデバイス識別子が第２のユーザにさらに関連付けられていることを任意選択的に含み得る。
【０１００】
例４において、例１−３のいずれかの主題は、第２のユーザに関連付けられた電子デバイスが他のウェアラブル電子デバイスを含むことを任意選択的に含み得る。
【０１０１】
例５において、例１−４のいずれかの主題は、第２のユーザに関連付けられた電子デバイスが、第１のタッチ入力を示す第１の体感用出力を提供するように構成されていることを任意選択的に含み得る。
【０１０２】
例６において、例１−５のいずれかの主題は、第１のデバイス識別子と第２のユーザとの関連付けは、第１のユーザによって実行されることを任意選択的に含み得る。
【０１０３】
例７において、例１−６のいずれかの主題は、第１のタッチ入力が、ウェアラブル電子デバイスの複数の電子ビーズに提供された複数のタッチ入力のパターンを含み、第１のメッセージが複数のタッチ入力のパターンを示す第１の情報を含むことを任意選択的に含み得る。
【０１０４】
例８において、例１−７のいずれかの主題は、プロセッサが、第２のユーザに関連付けられた電子デバイスに提供された第２のタッチ入力および第２のユーザに関連付けられた電子デバイスに関連付けられた第２のデバイス識別子を示す第２の情報を含む第２のメッセージを受信するようにさらに構成されていることを、任意選択的に含み得る。
【０１０５】
例９において、例８の主題は、第２のデバイス識別子が第１のユーザにさらに関連付けられることを任意選択的に含み得る。
【０１０６】
例１０において、例８−９のいずれかの主題は、少なくとも１つの電子ビーズに関連付けられた少なくとも１つの体感用出力デバイスを任意選択的に含み得、少なくとも１つの体感用出力デバイスは、第２のタッチ入力を示す第２の体感用出力を提供するように構成されている。
【０１０７】
例１１において、例１０の主題は、少なくとも１つの体感用出力デバイスは、照明デバイスおよび振動デバイスのうち少なくとも１つを含むことを、任意選択的に含み得る。
【０１０８】
例１２において、例８−１１のいずれかの主題は、第２のタッチ入力が第２のユーザに関連付けられた電子デバイスに提供された複数のタッチ入力のパターンを含み、第２の情報は複数のタッチ入力のパターンを示すことを、任意選択的に含み得る。
【０１０９】
例１３において、例１２の主題は、通信モジュールが、複数の電子ビーズのそれぞれの体感用出力デバイスに、複数のタッチ入力のパターンを示す体感用出力を提供させるようにさらに構成されていることを任意選択的に含み得る。
【０１１０】
例１４は、ウェアラブル電子デバイスに関連付けられた第１のユーザから第１のタッチ入力を受信するように構成されたタッチ入力デバイスを含む少なくとも１つの電子ビーズと、少なくとも一部がハードウェアにおいて部分的に実装されるロジックであって、少なくとも１つの電子ビーズから第１のタッチ入力を受信し、第１のタッチ入力および少なくとも１つの電子ビーズに関連付けられた第１のデバイス識別子を示す第１の情報を含む第１のメッセージを、第２のユーザに関連付けられた電子デバイスに送信するように構成されたロジックを含む少なくとも１つの電子ビーズと通信する通信モジュールと、を備えるウェアラブル電子デバイスである。
【０１１１】
例１５において、例１４の主題は、第１のタッチ入力がウェアラブル電子デバイスの複数の電子ビーズに提供された複数のタッチ入力のパターンを含み、第１のメッセージが複数のタッチ入力のパターンを示す第１の情報を含むことを、任意選択的に含む。
【０１１２】
例１６において、例１４−１５のいずれかの主題は、ロジックが、第２のユーザに関連付けられた電子デバイスに提供された第２のタッチ入力、および第２のユーザに関連付けられた電子デバイスに関連付けられた第２のデバイス識別子を示す第２の情報を含む第２のメッセージを受信するようにさらに構成されることを、任意選択的に含み得る。
【０１１３】
例１７において、例１６の主題は、少なくとも１つの電子ビーズに関連付けられた少なくとも１つの体感用出力デバイスを任意選択的に含み得、少なくとも１つの体感用出力デバイスは、第２のタッチ入力を示す第２の体感用出力を提供するように構成されている。
【０１１４】
例１８は、複数の命令を備える少なくとも１つのコンピュータ可読記憶媒体であって、複数の命令は少なくとも１つのプロセッサによって実行される場合、少なくとも１つのプロセッサに、ウェアラブル電子デバイスの少なくとも１つの電子ビーズによって、ウェアラブル電子デバイスに関連付けられた第１のユーザから第１のタッチ入力を受信させ、少なくとも１つの電子ビーズと通信する通信モジュールによって、少なくとも１つの電子ビーズから第１のタッチ入力を受信させ、第１のタッチ入力および少なくとも１つの電子ビーズに関連付けられた第１のデバイス識別子を示す第１の情報を含む第１のメッセージを、第２のユーザに関連付けられた電子デバイスに送信させる。
【０１１５】
例１９において、例１８の主題は、第１のタッチ入力がウェアラブル電子デバイスの複数の電子ビーズに提供された複数のタッチ入力のパターンを含み、第１のメッセージが、複数のタッチ入力のパターンを示す第１の情報を含むことを、任意選択的に含み得る。
【０１１６】
例２０において、例１８−１９のいずれかの主題は、複数の命令が、少なくとも１つのプロセッサによって実行される場合、少なくとも１つのプロセッサにさらに、第２のユーザに関連付けられた電子デバイスに提供された第２のタッチ入力および第２のユーザに関連付けられた電子デバイスに関連付けられた第２のデバイス識別子を示す第２の情報を含む第２のメッセージを受信させることを、任意選択的に含み得る。
【０１１７】
例２１において、例２０の主題は、複数の命令が、少なくとも１つのプロセッサによって実行される場合、少なくとも１つのプロセッサにさらに、少なくとも１つの電子ビーズに関連付けられた少なくとも１つの体感用出力デバイスによって第２のタッチ入力を示す第２の体感用出力を提供させることを、任意選択的に含み得る。
【０１１８】
例２２は、少なくとも１つの光学ライトストランドと、少なくとも１つの光学ライトストランドと通信する通信モジュールとであって、ウェアラブル電子デバイスに関連付けられた第１のユーザから第１の決定されたメッセージ持続期間を示すタイマー入力を受信し、第１の決定されたメッセージ持続期間を示す第１の情報を含む第１のメッセージを、第２のユーザに関連付けられた電子デバイスに送信するように構成されたプロセッサを含む、通信モジュールと、を備えるウェアラブル電子デバイスである。
【０１１９】
例２３において、例２２の主題は、少なくとも１つの光学ストランドがウェアラブル電子デバイスのブレスレット部分を備えることを任意選択的に含み得る。
【０１２０】
例２４において、例２２−２３のいずれかの主題は、第１のユーザからタイマー入力を受信するように構成されたタイマー入力デバイスを任意選択的に含み得る。
【０１２１】
例２５において、例２２−２４のいずれかの主題は、第２のユーザに関連付けられた電子デバイスが、第１の決定されたメッセージ持続期間に対応する期間の間、照明出力を提供するように構成されることを、任意選択的に含み得る。
【０１２２】
例２６において、例２２−２５のいずれかの主題は、プロセッサが第２のユーザに関連付けられた電子デバイスから第２の決定されたメッセージ持続期間を示す第２の情報を含む第２のメッセージを受信するようにさらに構成されていることを、任意選択的に含み得る。
【０１２３】
例２７において、例２７の主題は、通信モジュールが、光学ライトストランドの少なくとも１つに、第２の決定されたメッセージ持続期間に対応する期間の間、照明を点灯させるようにさらに構成されていることを、任意選択的に含み得る。
【０１２４】
例２８は、第１のウェアラブル電子デバイスおよび第２のウェアラブル電子デバイスを備えるシステムである。第１のウェアラブル電子デバイスは、第１のタッチ入力を受信するように構成された第１のタッチ入力デバイスを含む少なくとも１つの第１の電子ビーズと、少なくとも１つの第１の電子ビーズと通信する第１の通信モジュールであって、少なくとも１つの第１の電子ビーズから第１のタッチ入力を受信し、第１のタッチ入力および少なくとも１つの電子ビーズに関連付けられた第１のデバイス識別子を示す第１の情報を含む第１のメッセージを送信するように構成された第１のロジックを含む、第１の通信モジュールと、を含む。第２のウェアラブル電子デバイスは、少なくとも１つの第２の電子ビーズと、少なくとも１つの第２の電子ビーズと通信する第２の通信モジュールであって、第１のウェアラブル電子デバイスから第１のメッセージを受信するように構成された第２のロジックを含む、第２の通信モジュールと、を含む。
【０１２５】
例２９において、例２８の主題は、第１のウェアラブル電子デバイスがブレスレット部分をさらに含み、少なくとも１つの第１の電子ビーズおよび第１の通信モジュールが、ブレスレット部分に取り付けられるように構成されていることを、任意選択的に含み得る。
【０１２６】
例３０において、例２８−２９のいずれかの主題は、第２のウェアラブル電子デバイスが第１のタッチ入力を示す第１の体感用出力を提供するように構成されていることを、任意選択的に含み得る。
【０１２７】
例３１において、例２８−２９のいずれかの主題は、第１のタッチ入力が第１のウェアラブル電子デバイスの複数の電子ビーズに提供された複数のタッチ入力のパターンを含み、第１のメッセージが複数のタッチ入力のパターンを示す第１の情報を含むことを、任意選択的に含み得る。
【０１２８】
例３２において、例２８−３１のいずれかの主題は、第２のロジックが少なくとも１つの第２の電子ビーズに提供された第２のタッチ入力、および第２のウェアラブル電子デバイスに関連付けられた第２のデバイス識別子を示す第２の情報を含む第２のメッセージを送信するようにさらに構成されていることを、任意選択的に含み得る。
【０１２９】
例３３において、例３２の主題は、少なくとも１つの第１の電子ビーズが少なくとも１つの第１の電子ビーズに関連付けられた少なくとも１つの体感用出力デバイスをさらに含み、少なくとも１つの体感用出力デバイスが第２のタッチ入力を示す第２の体感用出力を提供するように構成されていることを、任意選択的に含み得る。
【０１３０】
例３４は、ウェアラブル電子デバイスの少なくとも１つの電子ビーズによって、ウェアラブル電子デバイスに関連付けられた第１のユーザから第１のタッチ入力を受信する段階と、少なくとも１つの電子ビーズと通信する通信モジュールによって、少なくとも１つの電子ビーズから第１のタッチ入力を受信する段階と、第１のタッチ入力および少なくとも１つの電子ビーズに関連付けられた第１のデバイス識別子を示す第１の情報を含む第１のメッセージを、第２のユーザに関連付けられた電子デバイスに送信する段階と、を備える、方法を含む。
【０１３１】
例３５において、例３４の主題は、第１のタッチ入力がウェアラブル電子デバイスの複数の電子ビーズに提供された複数のタッチ入力のパターンを含み、第１のメッセージが複数のタッチ入力のパターンを示す第１の情報を含むことを、任意選択的に含み得る。
【０１３２】
例３６において、例３４−３５のいずれかの主題は、第２のユーザに関連付けられた電子デバイスに提供された第２のタッチ入力、および第２のユーザに関連付けられた電子デバイスに関連付けられた第２のデバイス識別子を示す第２の情報を含む第２のメッセージを受信する段階を、任意選択的に含み得る。
【０１３３】
例３７において、例３６の主題は、少なくとも１つの電子ビーズに関連付けられた少なくとも１つの体感用出力デバイスによって第２のタッチ入力を示す第２の体感用出力を提供する段階を、任意選択的に含み得る。
【０１３４】
例３８は、例３４−３７のいずれか１つの方法を実行するための手段を備える装置である。
【０１３５】
例３９において、例３８の主題は、方法を実行するための手段が、プロセッサおよびメモリを備えることを、任意選択的に含み得る。
【０１３６】
例４０において、例３９の主題は、実行される場合に、例３３−３６のいずれか１つの方法を装置に実行させる複数の機械可読命令を、メモリが備えることを、任意選択的に含み得る。
【０１３７】
例４１において、例３８−４０のいずれかの主題は、装置がコンピューティングシステムであることを、任意選択的に含み得る。
【０１３８】
例４２は、実行される場合、例１−１７、２２−２７または３４−３７のいずれか１つにおいて記載されたような方法を実装する、または装置を実現させる複数の命令を備える少なくとも１つのコンピュータ可読媒体である。
【０１３９】
例４３は、ウェアラブル電子デバイスの少なくとも１つの電子ビーズによって、ウェアラブル電子デバイスに関連付けられた第１のユーザから第１のタッチ入力を受信するための手段と、少なくとも１つの電子ビーズと通信する通信モジュールによって、少なくとも１つの電子ビーズから第１のタッチ入力を受信するための手段と、第１のタッチ入力および少なくとも１つの電子ビーズに関連付けられた第１のデバイス識別子を示す第１の情報を含む第１のメッセージを、第２のユーザに関連付けられた電子デバイスに送信するための手段と、を備える、装置である。
【０１４０】
例４４において、例４３の主題は、第１のタッチ入力がウェアラブル電子デバイスの複数の電子ビーズに提供された複数のタッチ入力のパターンを含み、第１のメッセージが複数のタッチ入力のパターンを示す第１の情報を含むことを、任意選択的に含み得る。
【０１４１】
例４５において、例４３−４４のいずれかの主題は、第２のユーザに関連付けられた電子デバイスに提供された第２のタッチ入力、および第２のユーザに関連付けられた電子デバイスに関連付けられた第２のデバイス識別子を示す第２の情報を含む第２のメッセージを受信するための手段を、任意選択的に含み得る。
【０１４２】
例４６において、例４３−４５のいずれかの主題は、少なくとも１つの電子ビーズに関連付けられた少なくとも１つの体感用出力デバイスによって第２のタッチ入力を示す第２の体感用出力を提供するための手段を、任意選択的に含み得る。
［項目１］
ウェアラブル電子デバイスに関連付けられた第１のユーザから第１のタッチ入力を受信するタッチ入力デバイスを含む少なくとも１つの電子ビーズと、
上記少なくとも１つの電子ビーズと通信する通信モジュールであって、
上記少なくとも１つの電子ビーズから上記第１のタッチ入力を受信し、
上記第１のタッチ入力および上記少なくとも１つの電子ビーズに関連付けられた第１のデバイス識別子を示す第１の情報を含む第１のメッセージを、第２のユーザに関連付けられた電子デバイスに送信する、プロセッサを含む通信モジュールと、
を備える、ウェアラブル電子デバイス。
［項目２］
ブレスレット部分をさらに含み、上記少なくとも１つの電子ビーズおよび上記通信モジュールは、上記ブレスレット部分に取り付けられている、項目１に記載のウェアラブル電子デバイス。
［項目３］
上記第１のデバイス識別子は、上記第２のユーザにさらに関連付けられている、項目１または２に記載のウェアラブル電子デバイス。
［項目４］
上記第２のユーザに関連付けられた上記電子デバイスは、他のウェアラブル電子デバイスを含む、項目１または２に記載のウェアラブル電子デバイス。
［項目５］
上記第２のユーザに関連付けられた上記電子デバイスは、上記第１のタッチ入力を示す第１の体感用出力を提供する、項目１または２に記載のウェアラブル電子デバイス。
［項目６］
上記第１のデバイス識別子と上記第２のユーザとの関連付けは、上記第１のユーザによって実行される、項目１または２に記載のウェアラブル電子デバイス。
［項目７］
上記第１のタッチ入力は、上記ウェアラブル電子デバイスの複数の電子ビーズに提供された複数のタッチ入力のパターンを含み、上記第１のメッセージは、上記複数のタッチ入力のパターンを示す第１の情報を含む、項目１または２に記載のウェアラブル電子デバイス。
［項目８］
上記プロセッサは、さらに、上記第２のユーザに関連付けられた上記電子デバイスに提供された第２のタッチ入力および上記第２のユーザに関連付けられた上記電子デバイスに関連付けられた第２のデバイス識別子を示す第２の情報を含む第２のメッセージを受信する、項目１に記載のウェアラブル電子デバイス。
［項目９］
上記第２のデバイス識別子は、上記第１のユーザにさらに関連付けられている、項目８に記載のウェアラブル電子デバイス。
［項目１０］
上記少なくとも１つの電子ビーズに関連付けられており、上記第２のタッチ入力を示す第２の体感用出力を提供する、少なくとも１つの体感用出力デバイスをさらに含む、項目８に記載のウェアラブル電子デバイス。
［項目１１］
上記少なくとも１つの体感用出力デバイスは、照明デバイスおよび振動デバイスのうち少なくとも１つを含む、項目１０に記載のウェアラブル電子デバイス。
［項目１２］
上記第２のタッチ入力は、上記第２のユーザに関連付けられた上記電子デバイスに提供された複数のタッチ入力のパターンを含み、上記第２の情報は、上記複数のタッチ入力のパターンを示す、項目８に記載のウェアラブル電子デバイス。
［項目１３］
上記通信モジュールは、さらに、複数の電子ビーズのそれぞれの体感用出力デバイスに、上記複数のタッチ入力のパターンを示す体感用出力を提供させる、項目１２に記載のウェアラブル電子デバイス。
［項目１４］
少なくとも１つのプロセッサによって実行される場合、上記少なくとも１つのプロセッサに、
ウェアラブル電子デバイスの少なくとも１つの電子ビーズによって、上記ウェアラブル電子デバイスに関連付けられた第１のユーザから第１のタッチ入力を受信させ、
上記少なくとも１つの電子ビーズと通信する通信モジュールによって、上記少なくとも１つの電子ビーズから上記第１のタッチ入力を受信させ、
上記第１のタッチ入力および上記少なくとも１つの電子ビーズに関連付けられた第１のデバイス識別子を示す第１の情報を含む第１のメッセージを、第２のユーザに関連付けられた電子デバイスに送信させる、複数の命令を備える、
少なくとも１つのコンピュータ可読記憶媒体。
［項目１５］
上記第１のタッチ入力は、上記ウェアラブル電子デバイスの複数の電子ビーズに提供された複数のタッチ入力のパターンを含み、上記第１のメッセージは、上記複数のタッチ入力のパターンを示す第１の情報を含む、項目１４に記載の媒体。
［項目１６］
上記複数の命令は、上記少なくとも１つのプロセッサによって実行される場合、上記少なくとも１つのプロセッサにさらに、上記第２のユーザに関連付けられた上記電子デバイスに提供された第２のタッチ入力および上記第２のユーザに関連付けられた上記電子デバイスに関連付けられた第２のデバイス識別子を示す第２の情報を含む第２のメッセージを受信させる、項目１４または１５に記載の媒体。
［項目１７］
上記複数の命令は、上記少なくとも１つのプロセッサによって実行される場合、上記少なくとも１つのプロセッサに、上記少なくとも１つの電子ビーズに関連付けられた少なくとも１つの体感用出力デバイスによって、上記第２のタッチ入力を示す第２の体感用出力をさらに提供させる、項目１６に記載の媒体。
［項目１８］
少なくとも１つの光学ライトストランドと、
上記少なくとも１つの光学ライトストランドと通信する通信モジュールであって、
ウェアラブル電子デバイスに関連付けられた第１のユーザから第１の決定されたメッセージ持続期間を示すタイマー入力を受信し、
上記第１の決定されたメッセージ持続期間を示す第１の情報を含む第１のメッセージを、第２のユーザに関連付けられた電子デバイスに送信する、プロセッサ、を含む通信モジュールと、を備える、
ウェアラブル電子デバイス。
［項目１９］
上記少なくとも１つの光学ライトストランドは、上記ウェアラブル電子デバイスのブレスレット部分を備える、項目１８に記載のウェアラブル電子デバイス。
［項目２０］
上記第２のユーザに関連付けられた上記電子デバイスは、上記第１の決定されたメッセージ持続期間に対応する期間にわたって、照明出力を提供する、項目１８または１９に記載のウェアラブル電子デバイス。
［項目２１］
上記プロセッサは、さらに、第２の決定されたメッセージ持続期間を示す第２の情報を含む第２のメッセージを、上記第２のユーザに関連付けられた上記電子デバイスから受信し、
上記少なくとも１つの光学ライトストランドに、上記第２の決定されたメッセージ持続期間に対応する期間にわたって、照明を点灯させる、項目１８に記載のウェアラブル電子デバイス。
［項目２２］
ウェアラブル電子デバイスの少なくとも１つの電子ビーズによって、上記ウェアラブル電子デバイスに関連付けられた第１のユーザから第１のタッチ入力を受信する段階と、
上記少なくとも１つの電子ビーズと通信する通信モジュールによって、上記少なくとも１つの電子ビーズから上記第１のタッチ入力を受信する段階と、
上記第１のタッチ入力および上記少なくとも１つの電子ビーズに関連付けられた第１のデバイス識別子を示す第１の情報を含む第１のメッセージを、第２のユーザに関連付けられた電子デバイスに送信する段階と、を備える、
方法。
［項目２３］
上記第１のタッチ入力は、上記ウェアラブル電子デバイスの複数の電子ビーズに提供された複数のタッチ入力のパターンを含み、上記第１のメッセージは、上記複数のタッチ入力のパターンを示す第１の情報を含む、項目２２に記載の方法。
［項目２４］
上記第２のユーザに関連付けられた上記電子デバイスに提供された第２のタッチ入力、および上記第２のユーザに関連付けられた上記電子デバイスに関連付けられた第２のデバイス識別子を示す第２の情報を含む第２のメッセージを受信する段階をさらに備える、項目２３に記載の方法。
［項目２５］
上記第２のタッチ入力を示す第２の体感用出力を、上記少なくとも１つの電子ビーズに関連付けられた少なくとも１つの体感用出力デバイスによって提供する段階をさらに備える、項目２４に記載の方法。
【図１】
0006282734.tif 000003
【図２】
0006282734.tif 000004
【図３Ａ】
0006282734.tif 000005
【図３Ｂ】
0006282734.tif 000006
【図４】
0006282734.tif 000007
【図５】
0006282734.tif 000008
【図６】
0006282734.tif 000009
【図７Ａ】
0006282734.tif 000010
【図７Ｂ】
0006282734.tif 000011
【図７Ｃ】
0006282734.tif 000012
【図８】
0006282734.tif 000013
【図９】
0006282734.tif 000014
【図１０】
0006282734.tif 000015
【図１１】
0006282734.tif 000016